(57)【特許請求の範囲】
【請求項１】
第１の基地局がモード切り替え情報を含むメッセージを第１のユーザ機器ＵＥに送信し、前記第１のＵＥが前記モード切り替え情報を含むメッセージに持つモードの指示情報に基づいてモード切り替えを行うようにトリガーすることを含み、
前記第１の基地局がモード切り替え情報を含むメッセージを前記第１のＵＥに送信する前、
前記第１のＵＥのサービング基地局である前記第１の基地局が前記第１のＵＥがモード切り替えの条件を満たすと判定することをさらに含み、
第１の基地局、前記移動管理エンティティ又はパススルーサーバーが、第１のユーザ機器ＵＥがモード切り替えの条件を満たすか否かを判定することは、
前記第１のＵＥが端末直接通信機能を支援し又は端末直接通信を介して認証し、前記第１のＵＥと第２のＵＥとの間でセルラ通信を行い、前記第１のＵＥと前記第２のＵＥが近接関係であり、かつ、前記第１のＵＥと前記第２のＵＥが端末直接通信を行うための充分な端末直接通信エアインターフェースリソースがある条件を満たす場合、前記第１のＵＥがセルラ通信モードから端末直接通信モードへの切り替えの条件を満たすと判定し、
前記第１のＵＥと第２のＵＥとの間で端末直接通信を行い、かつ、充分なセルラ通信エアインターフェース及び主力接続リソースがある条件と、
前記第１のＵＥと第２のＵＥとの間で端末直接通信を行い、第１のＵＥと前記第２のＵＥは近接関係ではなく、かつ、充分なセルラ通信エアインターフェース及び主力接続リソースがある条件との中の一つを満たす場合、前記第１のＵＥが端末直接通信モードからセルラ通信モードへの切り替えの条件を満たすと判定することを含み、
ここで、前記第２のＵＥが、第１のＵＥとセルラ通信を確立したＵＥ、前記第１のＵＥと端末直接通信を確立したＵＥの中の一つであるモード切り替え方法。
【請求項２】
前記第１の基地局が前記第１のＵＥがモード切り替えの条件を満たすと判定することが、
前記第１の基地局が移動管理エンティティ又はパススルーサーバーに第１のモード切り替え要求を送信し、前記第１の基地局が前記移動管理エンティティ又は前記パススルーサーバーから送信された前記第１のＵＥがモード切り替えの条件を満たすことを指示するための第１のモード切り替え応答メッセージを受信することと、又は、
前記第１の基地局が、前記移動管理エンティティ又は前記パススルーサーバーが前記第１の基地局に送信した前記第１のユーザ機器にモード切り替えを指示するメッセージを受信することを含む請求項１に記載の方法。
【請求項３】
第１の基地局が、第１のユーザ機器と第２のユーザ機器が近接関係であるか否かを判定することは、
第１の基地局が第２のＵＥに対する信号測定を第１のＵＥに配置し、前記第１のＵＥの測定報告に基づいて、端末直接通信リンク品質閾値を満たすか否かを判定し、満たすのであれば、前記第１のＵＥと前記第２のＵＥとが近接関係であると確定し、そうでないと、前記第１のＵＥと前記第２のＵＥが近接関係ではないと確定することと、又は
前記第１の基地局が、受信した第１のＵＥから送信された第２のモード切り替え要求情報を含むメッセージに持つ第１のＵＥによる第２のＵＥに対する信号測定結果に基づいて、前記端末直接通信リンク品質閾値を満たすか否かを判定し、満たすのであれば、前記第１のＵＥと前記第２のＵＥとが近接すると確定し、そうでないと、前記第１のＵＥと前記第２のＵＥが近接関係ではないと確定することと、又は
前記第１の基地局がネットワーク側のエンティティから前記第１のＵＥが前記第２のＵＥと近接するか否かの情報を取得し、前記第１のＵＥと前記第２のＵＥとの間の距離が前記端末直接通信距離閾値を満たすか否かを判定し、満たすのであれば、前記第１のＵＥと前記第２のＵＥとが近接関係であると確定し、そうでないと、前記第１のＵＥと前記第２のＵＥが近接関係ではないと確定することと、又は
第１の基地局が前記ネットワーク側のエンティティから前記第１のＵＥと前記第２のＵＥの地理位置情報又は距離情報を取得して、前記第１のＵＥと前記第２のＵＥとの間の距離が前記端末直接通信距離閾値を満たすか否かを判定し、満たすのであれば、前記第１のＵＥと前記第２のＵＥとが近接関係であると確定し、そうでないと、前記第１のＵＥと前記第２のＵＥが近接関係ではないと確定することと、を含み、
ここで、前記第１のＵＥと前記第２のＵＥとが近接関係であると、前記第１の基地局は第１のＵＥと第２のＵＥが端末直接通信を行うことが可能であると判定し、満たさないと、前記第１の基地局は前記第１のＵＥと前記第２のＵＥがセルラ通信のみが可能であると判定する請求項１に記載の方法。
【請求項４】
第１のモード切り替え要求情報を含むメッセージは、
前記第２のＵＥの識別子、前記第１のＵＥによる前記第２のＵＥに対する信号測定結果、前記第１のＵＥによる第１の基地局に対する信号測定結果、第１のＵＥと第２のＵＥがセルラ通信又は端末直接通信を行う指示、前記第１のＵＥと前記第２のＵＥが前記セルラ通信又は前記端末直接通信を行うデータストリームに対応するベアラ情報、前記第１のＵＥと前記第２のＵＥが前記セルラ通信又は前記端末直接通信を行うデータストリーム及び／又はベアラに対応するサービス品質情報、前記第１のＵＥが前記第２のＵＥとの間で前記端末直接通信のデータベアラを確立したか否か及び／又は前記第１のＵＥと前記第２のＵＥとの間に前記直通通信のデータベアラを確立する必要があるとの指示の中の少なくとも一つを含む請求項３に記載の方法。
【請求項５】
前記ネットワーク側のエンティティが、ユーザ機器にサービスを提供するパケットデータゲートウェイ、サービングゲートウェイ、移動管理エンティティ、パススルーサーバー、位置情報サーバーまたはＵＥ発見検定機能付きエンティティの中の少なくとも一つを含み、又は、
前記第１の基地局が第１のユーザ機器と第２のユーザ機器が端末直接通信を行うための充分な端末直接通信エアインターフェースリソースがあるか否を判定することは、
前記第１の基地局が、前記第１のＵＥと前記第２のＵＥがセルラ通信を行うデータストリームに対応するベアラ情報及び前記第１のＵＥと前記第２のＵＥがセルラ通信を行うデータストリーム及び／又はベアラに対応するサービス品質情報に基づいて、対応する端末直接通信を支援可能である充分な端末直接通信リソースがあるか否かを判定することと、
判定結果が、前記端末直接エアインターフェースリソースが前記第１のＵＥと前記第２のＵＥによるセルラ通信のデータストリームを支援可能であると、前記第１の基地局が、第１のユーザ機器と第２のユーザ機器が端末直接通信を行うための充分な端末直接通信エアインターフェースリソースがあると確定することと、を含み、又は、
前記第１の基地局が、充分なセルラ通信エアインターフェース及び主力リンクリソースがあるか否かを判定することは、
前記第１の基地局が、前記第１のＵＥと前記第２のＵＥが端末直接通信を行うデータストリームに対応するベアラ情報及び前記第１のＵＥと前記第２のＵＥが端末直接通信を行うデータストリーム及び／又はベアラに対応するサービス品質情報に基づいて、対応するセルラ通信を支援可能な充分なセルラ通信エアインターフェース及び主力リンクリソースがあるか否かを判定することを含み、
前記セルラ通信エアインターフェース及び主力リンクリソースが前記第１のＵＥと前記第２のＵＥによる端末直接通信のデータストリーム及び／又はベアラを支援可能であると、前記第１の基地局が、第１のユーザ機器と第２のユーザ機器がセルラ通信を行うための充分なセルラ通信エアインターフェース及び主力リンクリソースがあると確定する請求項１に記載の方法。
【請求項６】
前記第１の基地局が、前記第１のＵＥのモード切り替えを発することが、
前記第１の基地局が前記第２の基地局を確定し、前記第２の基地局により前記第２のＵＥがモード切り替えの条件を満たすか否かを判定し、前記第１の基地局と前記第２の基地局が異なると、前記第１の基地局が前記第２の基地局とのモード切り替え協議を発して、第２のユーザ機器がモード切り替えの条件を満たすか否かを確認することと、
前記第２の基地局により前記第２のＵＥがモード切り替えの条件を満たすと判定した場合、前記第１の基地局と前記第２の基地局はモード切り替え情報を含むメッセージを送信して、第１のＵＥと第２のＵＥにモード切り替えを行うことを要求することと、を含む請求項１に記載の方法。
【請求項７】
前記第１の基地局が、第２の基地局とのモード切り替え協議を発することが、
前記第１の基地局が、モード切り替え協議要求情報を含むメッセージを第２の基地局に送信することと、
前記第２の基地局が、モード切り替え協議要求情報を含むメッセージを受信し、前記第２のＵＥがモード切り替えの条件を満たすか否かを判定することと、
前記第２のＵＥがモード切り替え条件を満たすと、前記第２の基地局が、モード切り替え協議要求確認情報を含むメッセージを第１の基地局に送信し、そうではないと、第２の基地局が、モード切り替え協議失敗情報を含むメッセージを第１の基地局に送信することと、ここで、モード切り替え協議失敗情報に失敗原因指示を含み、
前記第１の基地局がモード切り替え協議要求確認情報を含むメッセージを受信すると、前記モード切り替え協議に成功し、
前記第１の基地局が、モード切り替え協議要求情報を含むメッセージを前記第２の基地局に送信した後、モード切り替え協議取消情報を含むメッセージを第２の基地局に送信し、行っているモード切り替え協議を取り消すことと、を含む請求項６に記載の方法。
【請求項８】
前記モード切り替え協議要求情報を含むメッセージが、第１のユーザ機器識別子、第２のユーザ機器識別子、第１の基地局が支援する第１のユーザ機器と第２のユーザ機器がセルラ通信／端末直接通信を行うデータストリームに対応するベアラ情報、第１の基地局が支援する第１のユーザ機器と第２のユーザ機器がセルラ通信／端末直接通信を行うデータストリーム及び／又はベアラに対応するサービス品質情報、第１のユーザ機器が第２のユーザ機器と対応する端末直接通信／セルラ通信ベアラを確立したか否か及び／又は第１のユーザ機器と第２のユーザ機器が端末直接通信／セルラ通信ベアラを確立する必要があるとの指示、第１の基地局が第１のユーザ機器に配置した端末直接通信リソースモード、第１のユーザ機器の端末直接能力情報の中の一つ又は任意の組み合せを持ち、
前記モード切り替え協議要求情報を含むメッセージが明示的にモード切り替えタイプを含む請求項７に記載の方法。
【請求項９】
第１の基地局、前記移動管理エンティティ又はパススルーサーバーが第１のユーザ機器ＵＥがモード切り替えの条件を満たすか否かを判定する前、
前記切り替えモードが、前記セルラ通信モードから前記端末直接通信モードへの切り替えである場合、前記第１の基地局、前記移動管理エンティティ又はパススルーサーバーが、前記第１のＵＥのモード傾向情報を取得して、前記端末直接通信モードを優先して利用することを指示することと、及び／又は、以下条件の一つ：
前記第１の基地局、前記移動管理エンティティ又はパススルーサーバーが前記第１のＵＥから送信された第２のモード切り替え要求情報を含むメッセージを受信し、パケットデータゲートウェイ、サービングゲートウェイ及び／又は前記第１の基地局がネットワークの負担を低減することと、
前記切り替えモードが、前記端末直接通信モードから前記セルラ通信モードへの切り替えである場合、前記第１の基地局又は前記移動管理エンティティ又はパススルーサーバーが、前記第１のＵＥのモード傾向情報を取得して、前記セルラ通信モードを優先して利用することと指示することと、及び／又は、
前記第１の基地局又は前記移動管理エンティティ又はパススルーサーバーが、前記第１のＵＥから送信された第２のモード切り替え要求情報を含むメッセージを受信することと、を更に含む請求項１に記載の方法。
【請求項１０】
前記モード傾向情報が、前記端末直接通信モードを優先して利用することと、前記セルラ通信モードを優先して利用することと、無傾向を含み、又は、
前記モード傾向情報の範囲が、
ＵＥレベル、アプリレベル、データストリームレベル、ベアラレベルの中の少なくとも一つを含み、又は、
前記モード傾向情報がＵＥのサブスクリプト情報としてＨＳＳ又はパススルーサーバーに記憶され、かつ、前記モード傾向情報が対応するＵＥによって配置及び修正される請求項９に記載の方法。
【請求項１１】
前記第２のモード切り替え要求が専用シグナルによって直接送信されるか、又は測定報告メッセージを介して間接的に送信される請求項９に記載の方法。
【請求項１２】
前記第１のモード切り替え要求情報と前記第２のモード切り替え要求情報は、前記第２のＵＥの識別子、前記第１のＵＥによる前記第２のＵＥに対する信号測定結果、前記第１のＵＥによる第１の基地局に対する信号測定結果、第１のＵＥと第２のＵＥのセルラ通信又は端末直接通信実行指示、前記第１のＵＥと前記第２のＵＥが前記セルラ通信又は前記端末直接通信を行うデータストリームに対応するベアラ情報、前記第１のＵＥと前記第２のＵＥが前記セルラ通信又は前記端末直接通信を行うデータストリーム及び／又はベアラに対応するサービス品質情報、前記第１のＵＥが前記第２のＵＥとの間に前記端末直接通信のデータベアラを確立したか否か、及び／又は前記第１のＵＥと前記第２のＵＥとの間に前記直通通信のデータベアラを確立する必要があるとの中の少なくとも一つを含み、又は、
前記第１のモード切り替え要求情報と前記第２のモード切り替え要求情報が第２の基地局の情報を含み、ここで、前記第２の基地局が第２のＵＥのサービング基地局である請求項２乃至４の中のいずれかに記載の方法。
【請求項１３】
第１のユーザ機器ＵＥが、第１の基地局から送信されたモード切り替え情報を含むメッセージを受信することと、ここで、前記第１の基地局は該第１のＵＥのサービング基地局であり、
前記第１のＵＥが、前記モード切り替え情報を含むメッセージに持つモードの指示情報に基づいて、モード切り替えを行うことと、を含み、
前記第１のＵＥが前記モード切り替えメッセージに持つモードの指示情報に基づいて、モード切り替えを行う前、
前記第１のＵＥが、受信した前記モード切り替えメッセージに基づいて、セルラ通信モードから端末直接通信モードへの切り替えの切り替え条件を満たすか否かを判定することと、
前記第１のＵＥが、受信した前記モード切り替えメッセージに基づいて、端末直接通信モードからセルラ通信モードへの切り替えの条件を満たすか否かを判定することを更に含み、
前記第１のＵＥが前記モード切り替えメッセージを受信して、セルラ通信モードから端末直接通信モードへの切り替えの切り替え条件を満たすか否かを判定することが、
第１のＵＥが、端末直接通信機能を支援するか否か及び／又は端末直接通信を介して認証したか否かを判定することと、
第１のＵＥが、第１のユーザ機器と第２のユーザ機器が端末直接通信を行うための充分な端末直接通信リソースがあるか否かを判定することと、を含むモード切り替え方法。
【請求項１４】
前記モード切り替えは、セルラ通信モードから端末直接通信モードへの切り替えと前記端末直接通信モードから前記セルラ通信モードへの切り替えを含む請求項１３に記載の方法。
【請求項１５】
前記モード切り替え情報は、
モード切り替え指示、ユーザ機器識別子、モード切り替えを行う端末直接通信のデータストリーム及び／又はベアラ情報、モード切り替えを行うセルラ通信のデータストリーム及び／又はベアラ情報を含み、
さらに、前記モード切り替えメッセージは、
第１のＵＥと第２のＵＥが端末直接通信を行うリソース配置情報と、
第１のＵＥと第２のＵＥとの端末直接通信／セルラベアラを確立するための端末直接通信／セルラ通信ベアラ確立及び配置情報と、
更新されたＴＦＴ情報と、の中の少なくとも一つを持つ請求項１３に記載の方法。
【請求項１６】
第１のＵＥがモード切り替え情報に含まれた指示情報に基づいて、モード切り替えを行うことは、
第１のＵＥが、前記モード切り替え情報により指示されたモード切り替えを行う端末直接通信／セルラ通信のデータストリーム及び／又はベアラ情報に基づいて、セルラ通信データベアラ／端末直接通信データベアラを確立するか否かを判定し、又はセルラ通信データベアラ／端末直接通信データベアラを修正するか否かを判定することと、
前記第１のＵＥが前記セルラ通信／端末直接通信データベアラを確立していない場合、前記第１のＵＥが前記モード切り替え情報の指示情報に対応する通信データベアラを確立することと、
前記第１のＵＥが前記セルラ通信データベアラ／端末直接通信データベアラを確立していて、前記第１のＵＥが更新されたＴＦＴ情報を取得した場合、前記第１のＵＥが、前記モード切り替え情報により指示された前記端末直接通信のデータストリーム及び／又はデータベアラ又はセルラ通信のデータストリーム及び／又はデータベアラを前記モード切り替え情報の指示情報に対応するベアラに切り替えして通信を行うことと、
前記第１のＵＥが前記セルラ通信／端末直接通信データベアラを修正する必要がある場合、前記第１のＵＥがデータベアラ修正操作を発することと、を含み、
前記セルラ通信データベアラ／端末直接通信データベアラが、ＰＤＣＰ、ＲＬＣ、ＭＡＣエンティティ及び論理チャネルに対応する配置情報を含む請求項１３乃至１５の中のいずれかに記載の方法。
【請求項１７】
前記第１のＵＥが、モード切り替え完成情報を含むメッセージを第１の基地局に送信することと、又は、前記第１のＵＥが、モード切り替え情報により指示された端末直接通信／セルラ通信のデータベアラのリリースを発することを更に含む請求項１６に記載の方法。
【請求項１８】
前記第１のＵＥが前記セルラ通信／端末直接通信データベアラを確立していない場合、前記第１のＵＥが前記モード切り替え情報に指示された通信データベアラを確立することが、
セルラ通信から端末直接通信へのモード切り替えである場合、前記第１のＵＥが、第１の基地局を介して、又は直接に第２のＵＥとの端末直接通信データベアラを確立してＴＦＴ情報を更新することと、
端末直接通信からセルラ通信へのモード切り替えである場合、前記第１のＵＥが前記第２のＵＥとセルラ通信データベアラを確立していないと、前記第１のＵＥがセルラ通信データベアラの確立を請求し、ＴＦＴ情報を更新することと、を含む請求項１６に記載の方法。
【請求項１９】
前記第１のＵＥが、前記モード切り替え情報に指示された前記端末直接通信のデータストリーム及び／又はデータベアラ又はセルラ通信のデータストリーム及び／又はデータベアラを前記モード切り替え情報の指示情報に対応するベアラに切り替えして通信を行うことは、
セルラ通信から端末直接通信へのモード切り替えである場合、前記第１のＵＥが、第１の基地局に配置された、第１の基地局がスケジューリングした又は前記第１のＵＥが競争した端末直接通信リソースを利用して、端末直接通信データベアラによって、モード切り替えメッセージに指示された前記第１のＵＥと前記第２のＵＥのデータストリームを端末直接通信することと、
端末直接通信からセルラ通信へのモード切り替えである場合、前記第１のＵＥが、第１の基地局がスケジューリングしたセルラ通信リソースに基づいて、セルラ通信データベアラによって、モード切り替え情報に指示された前記第１のＵＥと前記第２のＵＥのデータストリームをセルラ通信することと、を含む請求項１６に記載の方法。
【請求項２０】
第１の基地局に応用されるモード切り替え装置であって、
第１のユーザ機器ＵＥにモード切り替え情報を含むメッセージを送信し、前記第１のＵＥが前記モード切り替え情報を含むメッセージに持つモードの指示情報に基づいてモード切り替えを行うようにトリガーするように構成された送信モジュールを備え、
前記第１の判定モジュールは、
前記第１のＵＥは端末直接通信機能を支援し、
前記第１のＵＥと第２のＵＥとの間でセルラデータ通信を行い、
前記第１のＵＥと前記第２のＵＥは近接関係であって、
前記第１のＵＥと前記第２のＵＥが端末直接通信を行うための充分な端末直接通信エアインターフェースリソースがある条件を満たす場合、前記第１のＵＥがセルラ通信モードから端末直接通信モードへの切り替え条件を満たすと判定するように構成された第２の判定モジュールと、
前記第１のＵＥと第２のＵＥとの間で端末直接データ通信を行い、
充分なセルラ通信エアインターフェース及び主力接続リソースがあって、
前記第１のＵＥと前記第２のＵＥは近接関係ではない条件の中の少なくとも一つを満たす場合、前記第１のＵＥが端末直接通信モードからセルラ通信モードへの切り替えの条件を満たすと判定するように構成された第３の判定モジュールと、を含み、
前記第２のＵＥが、既に第１のＵＥとセルラ通信を確立し、前記第１のＵＥと端末直接通信を確立したＵＥ、前記第１のＵＥと端末直接通信を確立したＵＥの中の一つであるモード切り替え装置。
【請求項２１】
前記第１のＵＥがモード切り替えの条件を満たすか否かを判定するように構成された第１の判定モジュールを更に備え、前記第１の基地局が前記第１のＵＥのサービング基地局であり、
さらに、前記第１の判定モジュールは、
移動管理エンティティ又はパススルーサーバーに第１のモード切り替え要求情報を含むメッセージを送信するように構成された第２の送信モジュールと、
前記移動管理エンティティ又は前記パススルーサーバーから送信されたモード切り替え応答情報を含むメッセージを受信するように構成された受信モジュールと、を含み、前記モード切り替え応答情報が前記第１のＵＥがモード切り替えの条件を満たすことを指示するものである請求項２０に記載の装置。
【請求項２２】
前記第１の判定モジュールが第１のユーザ機器ＵＥがモード切り替えの条件を満たすか否かを判定する前、かつ、前記モード切り替えが前記セルラ通信モードから前記端末直接通信モードへの切り替えである場合、前記第１のＵＥのモード傾向情報を取得して、前記端末直接通信モードを優先して利用することを指示するように構成された第１の取得モジュールと、及び／又は以下条件の一つ：
前記第１の基地局が前記第１のＵＥから送信された第２のモード切り替え要求情報を含むメッセージを受信し、パケットデータゲートウェイ、サービングゲートウェイ及び／又は前記第１の基地局がネットワーク負担を低減し、
前記第１の判定モジュールが第１のユーザ機器ＵＥがモード切り替えの条件を満たすか否かを判定する前、かつ、前記モード切り替えが前記端末直接通信モードから前記セルラ通信モードへの切り替えである場合、前記第１の基地局が前記第１のＵＥのモード傾向情報を取得して、前記セルラ通信モードを優先して利用することを指示するように構成された第２の取得モジュールと、を更に含み、及び／又は、
前記第１の基地局が前記第１のＵＥから送信された第２のモード切り替え要求情報を含むメッセージを受信する請求項２０に記載の装置。
【請求項２３】
前記モード傾向情報が、前記端末直接通信モードを優先して利用することと、前記セルラ通信モードを優先して利用することと、無傾向を含み、又は、
前記モード傾向情報の範囲が、ＵＥレベル、アプリレベル、データストリームレベル、ベアラレベルの中の少なくとも一つを含み、又は、
前記モード傾向情報をＵＥのサブスクリプト情報としてＨＳＳ又はパススルーサーバーに記憶し、かつ、前記モード傾向情報が対応するＵＥによって配置及び修正される請求項２０に記載の装置。
【請求項２４】
前記第１のモード切り替え要求情報と前記第２のモード切り替え要求を、専用シグナルによって直接に送信するか、又は測定報告メッセージによって送信し、又は、
前記第１のモード切り替え要求情報と前記第２のモード切り替え要求情報が、前記第２のＵＥの識別子、前記第１のＵＥによる前記第２のＵＥに対する信号測定結果、前記第１のＵＥによる第１の基地局に対する信号測定結果、第１のＵＥと第２のＵＥのセルラ通信又は端末直接通信実行指示、前記第１のＵＥと前記第２のＵＥが前記セルラ通信又は前記端末直接通信を行うデータストリームに対応するベアラ情報、前記第１のＵＥと前記第２のＵＥが前記セルラ通信又は前記端末直接通信を行うデータストリーム及び／又はベアラに対応するサービス品質情報、前記第１のＵＥが前記第２のＵＥとの間で前記端末直接通信のデータベアラを確立したか否か及び／又は前記第１のＵＥと前記第２のＵＥとの間に前記直通通信のデータベアラを確立する必要がある、の中の少なくとも一つを含む請求項２１乃至２２の中のいずれかに記載の装置。
【請求項２５】
前記第１のモード切り替え要求情報と前記第２のモード切り替え要求情報が第２の基地局の情報を含み、前記第２の基地局が第２のＵＥのサービング基地局である請求項２４に記載の装置。
【請求項２６】
第１のＵＥに応用されるモード切り替え装置であって、
第１の基地局から送信されたモード切り替え情報を含むメッセージを受信するように構成された受信モジュールと、ここで、前記第１の基地局は当該第１のＵＥのサービング基地局であり、
前記モード切り替え情報に持つモードの指示情報に基づいて、モード切り替えを行うように構成された切り替えモジュールと、を含み、
前記モード切り替えは、セルラ通信モードから端末直接通信モードへの切り替えと、前記端末直接通信モードから前記セルラ通信モードへの切り替えを含み、
受信した前記モード切り替え情報に基づいて、セルラ通信モードから端末直接通信モードへの切り替えの切り替え条件を満たすか否かを判定するように構成された第４の判定モジュールと、
受信した前記モード切り替え情報に基づいて、端末直接通信モードからセルラ通信モードへの切り替えの条件を満たすか否かを判定するように構成された第５の判定モジュールと、を更に含むモード切り替え装置。
【発明の詳細な説明】
【技術分野】
【０００１】
本発明は、通信分野に関し、具体的に、モード切り替え方法及び装置に関するものである。
【背景技術】
【０００２】
無線マルチメディア業務の発展に伴って、高いデータレートやユーザ体験に対する人々の需要もますます高まっていて、伝統的なセルラネットワークのシステム容量及びカバーに一層高い要求を提示した。一方、ソーシャル・ネットワーク、近距離のデータ共有、ローカル広告等のアプリが流行されているので、近傍の興味のある人又は事物を了解しそれと通信（Ｐｒｏｘｉｍｉｔｙ  Ｓｅｒｖｉｃｅｓ：近接サービス）するに対する人々の需要もますます高まっている。伝統的な基地局を中心とするセルラネットワークによると、高データレート及び近接サービスの支援面で明らかな制限性を受けていて、上記のような需要がある状況で、今後の通信技術の新しい発展方向を表すＤ２Ｄ（Ｄｅｖｉｃｅ−ｔｏ−Ｄｅｖｉｃｅ：端末から端末）技術が現れた。Ｄ２Ｄ技術の応用によって、セルラネットワークの負担を低減し、ユーザ機器の電池消費を減少し、データレートを向上させ、ネットワークインフラストラクチャのロバスト性を改善し、上記した高いデータレート業務及び近接サービスの要求を効率よく満たすことができる。
【０００３】
Ｄ２Ｄ技術は認定された周波数区間又は認定されてない周波数区間で作動でき、Ｄ２Ｄ機能を支援する複数のユーザ機器（即ち、Ｄ２Ｄユーザ機器、Ｄ２Ｄ  Ｕｓｅｒ  Ｅｑｕｉｐｍｅｎｔ：Ｄ２Ｄ  ＵＥ）がネットワークインフラストラクチャ有り又はネットワークインフラストラクチャ無しの状況で直接発見／直接通信することを許可する。Ｄ２Ｄ技術は通常、Ｄ２Ｄ発見技術とＤ２Ｄ通信技術と、を含み、ここで、Ｄ２Ｄ発見技術とは二つ又は複数のＤ２Ｄユーザ機器間での相互接近（例えば、Ｄ２Ｄ直接通信を行なえる範囲内）を判定／確定する技術、又は第１のユーザ機器が第２のユーザ機器に接近することを判定／確定する技術を言う。通常、Ｄ２Ｄユーザ機器間は、発見信号／情報を送信又は受信することで相手を発見し、セルラネットワークがカバーされている場合、ネットワークはＤ２Ｄユーザ機器によるＤ２Ｄ発見を補助することができる。Ｄ２Ｄ通信技術とはＤ２Ｄユーザ機器間の一部又は全部の通信データをネットワークインフラストラクチャを通過せずに直接に通信を行うことが可能である技術を言う。
【０００４】
Ｄ２Ｄ機能を支援するユーザ機器間の相互発見及び通信は不変なものではなく、ＵＥの相対的な移動に対応して変化する。図１に示すように、ネットワークインフラストラクチャがカバーされてい場合、Ｄ２Ｄ機能を支援するＵＥ１とＵＥ２との間にデータセッション通信が構築されていると、そのデータストリームはセルラネットワークのインフラストラクチャを介して伝送される。ＵＥ１がＵＥ２の周辺領域ヘ移動すると、ＵＥ１とＵＥ２との間の距離はＤ２Ｄの発見及びＤ２Ｄ通信を支援可能な程度に接近される。このような場合、ＵＥ１とＵＥ２との間のデータストリームをセルラ通信モードからＤ２Ｄ通信モードに切り替えることで、Ｄ２Ｄ通信レートが高く、遅延が低く、省エネーのメリットを実現できる。相反して、ＵＥ１とＵＥ２とのＤ２Ｄ通信中に、ＵＥ１が継続して移動してＵＥ２から離れていくと、ＵＥ１とＵＥ２との間のデータセッションをＤ２Ｄ通信リンクが使用不可能であるときにはＤ２Ｄ通信モードからセルラモードヘ切り替えしなければならない。セルラ通信からＤ２Ｄ通信モードへの切り替えであれ、Ｄ２Ｄ通信からセルラ通信モードへの切り替えであれ、いずれもシステムは、ネットワークインフラストラクチャによる制御で行われるモード切り替え中にユーザがモードの切り替えを感じることができなくようにすることで、サービスの連続性を保証することを要求している。
上記のように、関連技術においてモードを融通性よく切り替えすることができないので、サービスの連続性が悪いである。
【発明の概要】
【発明が解決しようとする課題】
【０００５】
本発明の実施例は、少なくとも上記した問題を解決できるモード切り替え方法及び装置を提供する。
【課題を解決するための手段】
【０００６】
本発明の一態様によると、第１の基地局がモード切り替え情報を含むメッセージを第１のユーザ機器ＵＥに送信し、前記第１のＵＥが前記モード切り替え情報を含むメッセージに持つモードの指示情報に基づいてモード切り替えを行うようにトリガーすることを含むモード切り替え方法を提供する。
【０００７】
前記第１の基地局がモード切り替え情報を含むメッセージを前記第１のＵＥに送信する前、
前記第１のＵＥのサービング基地局である前記第１の基地局が前記第１のＵＥがモード切り替えの条件を満たすと判定することをさらに含むことが好ましい。
【０００８】
第１の基地局が前記第１のＵＥがモード切り替えの条件を満たすと判定することが、
前記第１の基地局が移動管理エンティティ又はパススルーサーバーに第１のモード切り替え要求を送信し、前記第１の基地局が前記移動管理エンティティ又は前記パススルーサーバーから送信された前記第１のＵＥがモード切り替えの条件を満たすことを指示するための第１のモード切り替え応答メッセージを受信することと、又は
前記第１の基地局が、前記移動管理エンティティ又は前記パススルーサーバーが前記第１の基地局に送信した前記第１のユーザ機器にモード切り替えを指示するメッセージを受信することを含むことが好ましい。
【０００９】
第１の基地局、前記移動管理エンティティ又はパススルーサーバーが、第１のユーザ機器ＵＥがモード切り替えの条件を満たすか否かを判定することは、
前記第１のＵＥが端末直接通信機能を支援し又は端末直接通信を介して認証し、前記第１のＵＥと第２のＵＥとの間でセルラ通信を行い、前記第１のＵＥと前記第２のＵＥが近接関係であり、かつ、前記第１のＵＥと前記第２のＵＥが端末直接通信を行うための充分な端末直接通信エアインターフェースリソースがある条件を満たす場合、前記第１のＵＥがセルラ通信モードから端末直接通信モードへの切り替えの条件を満たすと判定し、
前記第１のＵＥと第２のＵＥとの間で端末直接通信を行い、かつ、充分なセルラ通信エアインターフェース及び主力接続リソースがある条件と、
前記第１のＵＥと第２のＵＥとの間で端末直接通信を行い、第１のＵＥと前記第２のＵＥは近接関係ではなく、かつ、充分なセルラ通信エアインターフェース及び主力接続リソースがある条件との中の一つを満たす場合、前記第１のＵＥが端末直接通信モードからセルラ通信モードへの切り替えの条件を満たすと判定することを含み、
ここで、前記第２のＵＥが、第１のＵＥとセルラ通信を確立したＵＥ、前記第１のＵＥと端末直接通信を確立したＵＥの中の一つであることが好ましい。
【００１０】
第１の基地局が、第１のユーザ機器と第２のユーザ機器が近接関係であるか否かを判定することは、
第１の基地局が第２のＵＥに対する信号測定を第１のＵＥに配置し、前記第１のＵＥの測定報告に基づいて、端末直接通信リンク品質閾値を満たすか否かを判定し、満たすのであれば、前記第１のＵＥと前記第２のＵＥとが近接関係であると確定し、そうでないと、前記第１のＵＥと前記第２のＵＥが近接関係ではないと確定することと、又は
前記第１の基地局が受信した第１のＵＥから送信された第２のモード切り替え要求情報を含むメッセージに持つ第１のＵＥによる第２のＵＥに対する信号測定結果に基づいて、前記端末直接通信リンク品質閾値を満たすか否かを判定し、満たすのであれば、前記第１のＵＥと前記第２のＵＥとが近接すると確定し、そうでないと、前記第１のＵＥと前記第２のＵＥが近接関係ではないと確定することと、又は
前記第１の基地局がネットワーク側のエンティティから前記第１のＵＥと前記第２のＵＥが近接するか否かの情報を取得し、前記第１のＵＥと前記第２のＵＥとの間の距離が前記端末直接通信距離閾値を満たすか否かを判定し、満たすのであれば、前記第１のＵＥと前記第２のＵＥとが近接関係であると確定し、そうでないと、前記第１のＵＥと前記第２のＵＥが近接関係ではないと確定することと、又は
第１の基地局が前記ネットワーク側のエンティティから前記第１のＵＥと前記第２のＵＥの地理位置情報又は距離情報を取得して、前記第１のＵＥと前記第２のＵＥとの間の距離が前記端末直接通信距離閾値を満たすか否かを判定し、満たすのであれば、前記第１のＵＥと前記第２のＵＥとが近接関係であると確定し、そうでないと、前記第１のＵＥと前記第２のＵＥが近接関係ではないと確定することと、を含み、
ここで、前記第１のＵＥと前記第２のＵＥとが近接関係であると、前記第１の基地局は第１のＵＥと第２のＵＥが端末直接通信を行うことが可能であると判定し、満たさないと、前記第１の基地局は前記第１のＵＥと前記第２のＵＥがセルラ通信のみが可能であると判定することが好ましい。
【００１１】
前記第１のモード切り替え要求情報を含むメッセージは、
前記第２のＵＥの識別子、前記第１のＵＥによる前記第２のＵＥに対する信号測定結果、前記第１のＵＥによる第１の基地局に対する信号測定結果、第１のＵＥと第２のＵＥがセルラ通信又は端末直接通信を行う指示、前記第１のＵＥと前記第２のＵＥが前記セルラ通信又は前記端末直接通信を行うデータストリームに対応するベアラ情報、前記第１のＵＥと前記第２のＵＥが前記セルラ通信又は前記端末直接通信を行うデータストリーム及び／又はベアラに対応するサービス品質情報、前記第１のＵＥが前記第２のＵＥとの間で前記端末直接通信のデータベアラを確立したか否か及び／又は前記第１のＵＥと前記第２のＵＥとの間に前記直通通信のデータベアラを確立する必要があるとの指示の中の少なくとも一つを含むことが好ましい。
【００１２】
前記ネットワーク側のエンティティが、ユーザ機器にサービスを提供するパケットデータゲートウェイ、サービングゲートウェイ、移動管理エンティティ、パススルーサーバー、位置情報サーバーまたはＵＥ発見検定機能付きエンティティの中の少なくとも一つを含むことが好ましい。
【００１３】
前記第１の基地局が第１のユーザ機器と第２のユーザ機器が端末直接通信を行うための充分な端末直接通信エアインターフェースリソースがあるか否を判定することは、
前記第１の基地局が、前記第１のＵＥと前記第２のＵＥがセルラ通信を行うデータストリームに対応するベアラ情報及び前記第１のＵＥと前記第２のＵＥがセルラ通信を行うデータストリーム及び／又はベアラに対応するサービス品質情報に基づいて、対応する端末直接通信を支援可能である充分な端末直接通信リソースがあるか否かを判定することと、
判定結果が、前記端末直接エアインターフェースリソースが前記第１のＵＥと前記第２のＵＥによるセルラ通信のデータストリームを支援可能であると、前記第１の基地局が、第１のユーザ機器と第２のユーザ機器が端末直接通信を行うための充分な端末直接通信エアインターフェースリソースがあると確定することと、を含むことが好ましい。
【００１４】
前記第１の基地局が、充分なセルラ通信エアインターフェース及び主力リンクリソースがあるか否かを判定することは、
前記第１の基地局が、前記第１のＵＥと前記第２のＵＥが端末直接通信を行うデータストリームに対応するベアラ情報及び前記第１のＵＥと前記第２のＵＥが端末直接通信を行うデータストリーム及び／又はベアラに対応するサービス品質情報に基づいて、対応するセルラ通信を支援可能な充分なセルラ通信エアインターフェース及び主力リンクリソースがあるか否かを判定することを含み、
ここで、前記セルラ通信エアインターフェース及び主力リンクリソースが前記第１のＵＥと前記第２のＵＥの端末直接通信のデータストリーム及び／又はベアラを支援可能であると、前記第１の基地局が、第１のユーザ機器と第２のユーザ機器がセルラ通信を行うための充分なセルラ通信エアインターフェース及び主力リンクリソースがあると確定することが好ましい。
【００１５】
前記第１の基地局が、前記第１のＵＥのモード切り替えを発することは、
前記第１の基地局が前記第２の基地局を確定し、前記第２の基地局により前記第２のＵＥがモード切り替えの条件を満たすか否かを判定し、前記第１の基地局と前記第２の基地局が異なると、前記第１の基地局が前記第２の基地局とのモード切り替え協議を発して、第２のユーザ機器がモード切り替えの条件を満たすか否かを確認することと、
前記第２の基地局により前記第２のＵＥがモード切り替えの条件を満たすと判定した場合、前記第１の基地局と前記第２の基地局はモード切り替え情報を含むメッセージを送信して、第１のＵＥと第２のＵＥにモード切り替えを行うことを要求することと、を含むことが好ましい。
【００１６】
前記第１の基地局が条件を満たさないと判定した場合、前記第１の基地局がモード切り替え拒絶情報を含むメッセージを送信することと、
前記第１の基地局が前記第１のＵＥから送信されたモード切り替え拒絶メッセージを受信することと、を更に含み、ここで、前記モード切り替え拒絶メッセージが拒絶原因指示情報を含むことが好ましい。
【００１７】
前記第１の基地局が、第２の基地局とのモード切り替え協議を発することは、
前記第１の基地局が、モード切り替え協議要求情報を含むメッセージを第２の基地局に送信することと、
前記第２の基地局が、モード切り替え協議要求情報を含むメッセージを受信し、前記第２のＵＥがモード切り替えの条件を満たすか否かを判定することと、
前記第２のＵＥがモード切り替え条件を満たすと、前記第２の基地局が、モード切り替え協議要求確認情報を含むメッセージを第１の基地局に送信し、そうではないと、第２の基地局が、モード切り替え協議失敗情報を含むメッセージを第１の基地局に送信することと、ここで、モード切り替え協議失敗情報に失敗原因指示を含み、
前記第１の基地局がモード切り替え協議要求確認情報を含むメッセージを受信すると、前記モード切り替え協議に成功し、
前記第１の基地局が、モード切り替え協議要求情報を含むメッセージを前記第２の基地局に送信した後、モード切り替え協議取消情報を含むメッセージを第２の基地局に送信し、行っているモード切り替え協議を取り消すことと、を含むことが好ましい。
【００１８】
前記モード切り替え協議要求情報を含むメッセージが、第１のユーザ機器識別子、第２のユーザ機器識別子、第１の基地局が支援する第１のユーザ機器と第２のユーザ機器がセルラ通信／端末直接通信を行うデータストリームに対応するベアラ情報、第１の基地局が支援する第１のユーザ機器と第２のユーザ機器がセルラ通信／端末直接通信を行うデータストリーム及び／又はベアラに対応するサービス品質情報、第１のユーザ機器が第２のユーザ機器と対応する端末直接通信／セルラ通信ベアラを確立したか否か及び／又は第１のユーザ機器と第２のユーザ機器が端末直接通信／セルラ通信ベアラを確立する必要があるとの指示、第１の基地局が第１のユーザ機器に配置した端末直接通信リソースモード、第１のユーザ機器の端末直接能力情報の中の一つ又は任意の組み合せを持ち、
前記モード切り替え協議要求情報を含むメッセージが明示的にモード切り替えタイプを含むことが好ましい。
【００１９】
第１の基地局、前記移動管理エンティティ又はパススルーサーバーが第１のユーザ機器ＵＥがモード切り替えの条件を満たすか否かを判定する前、
前記切り替えモードが、前記セルラ通信モードから前記端末直接通信モードへの切り替えである場合、前記第１の基地局、前記移動管理エンティティ又はパススルーサーバーが、前記第１のＵＥのモード傾向情報を取得して、前記端末直接通信モードを優先して利用することを指示することと、及び／又は、以下条件の一つ：
前記第１の基地局、前記移動管理エンティティ又はパススルーサーバーが前記第１のＵＥから送信された第２のモード切り替え要求情報を含むメッセージを受信し、パケットデータゲートウェイ、サービングゲートウェイ及び／又は前記第１の基地局がネットワークの負担を低減することと、
前記切り替えモードが、前記端末直接通信モードから前記セルラ通信モードへの切り替えである場合、前記第１の基地局又は前記移動管理エンティティ又はパススルーサーバーが、前記第１のＵＥのモード傾向情報を取得して、前記セルラ通信モードを優先して利用することと指示することと、及び／又は、
前記第１の基地局又は前記移動管理エンティティ又はパススルーサーバーが、前記第１のＵＥから送信された第２のモード切り替え要求情報を含むメッセージを受信することと、を更に含むことが好ましい。
【００２０】
前記モード傾向情報が、前記端末直接通信モードを優先して利用することと、前記セルラ通信モードを優先して利用することと、無傾向を含むことが好ましい。
【００２１】
前記モード傾向情報の範囲が、
ＵＥレベル、アプリレベル、データストリームレベル、ベアラレベルの中の少なくとも一つを含むことが好ましい。
【００２２】
前記モード傾向情報がＵＥのサブスクリプト情報としてＨＳＳ又はパススルーサーバーに記憶され、かつ、前記モード傾向情報が対応するＵＥによって配置及び修正されることが好ましい。
【００２３】
前記第２のモード切り替え要求が専用シグナルによって直接送信されるか、又は測定報告メッセージを介して間接的に送信されることが好ましい。
【００２４】
前記第１のモード切り替え要求情報と前記第２のモード切り替え要求情報が、前記第２のＵＥの識別子、前記第１のＵＥによる前記第２のＵＥに対する信号測定結果、前記第１のＵＥによる第１の基地局に対する信号測定結果、第１のＵＥと第２のＵＥのセルラ通信又は端末直接通信実行指示、前記第１のＵＥと前記第２のＵＥが前記セルラ通信又は前記端末直接通信を行うデータストリームに対応するベアラ情報、前記第１のＵＥと前記第２のＵＥが前記セルラ通信又は前記端末直接通信を行うデータストリーム及び／又はベアラに対応するサービス品質情報、前記第１のＵＥが前記第２のＵＥとの間に前記端末直接通信のデータベアラを確立したか否か、及び／又は前記第１のＵＥと前記第２のＵＥとの間に前記直通通信のデータベアラを確立する必要があるとの中の少なくとも一つを含むことが好ましい。
【００２５】
前記第１のモード切り替え要求情報と前記第２のモード切り替え要求情報が、第２の基地局の情報を含み、ここで、前記第２の基地局が第２のＵＥのサービング基地局であることが好ましい。
【００２６】
本発明の他の一態様によると、第１のユーザ機器ＵＥが、第１の基地局から送信されたモード切り替え情報を含むメッセージを受信することと、ここで、前記第１の基地局は該第１のＵＥのサービング基地局であって、前記第１のＵＥが、前記モード切り替え情報を含むメッセージに持つモードの指示情報に基づいて、モード切り替えを行うことと、を含むモード切り替え方法を提供する。
【００２７】
前記モード切り替えが、セルラ通信モードから端末直接通信モードへの切り替えと前記端末直接通信モードから前記セルラ通信モードへの切り替えを含むことが好ましい。
【００２８】
前記第１のＵＥが前記モード切り替えメッセージに持つモードの指示情報に基づいて、モード切り替えを行う前、
前記第１のＵＥが、前記モード切り替えメッセージを受信して、セルラ通信モードから端末直接通信モードへの切り替えの切り替え条件を満たすか否かを判定することと、
前記第１のＵＥが、受信した前記モード切り替えメッセージに基づいて、端末直接通信モードからセルラ通信モードへの切り替えの条件を満たすか否かを判定することを更に含むことが好ましい。
【００２９】
前記第１のＵＥが前記モード切り替えメッセージを受信して、セルラ通信モードから端末直接通信モードへの切り替えの切り替え条件を満たすか否かを判定することが、
第１のＵＥが、端末直接通信機能を支援するか否か及び／又は端末直接通信を介して認証したか否かを判定することと、
第１のＵＥが、第１のユーザ機器と第２のユーザ機器が端末直接通信を行うための充分な端末直接通信リソースがあるか否かを判定することと、を含むことが好ましい。
【００３０】
前記モード切り替え情報が、
モード切り替え指示、ユーザ機器識別子、モード切り替えを行う端末直接通信のデータストリーム及び／又はベアラ情報、モード切り替えを行うセルラ通信のデータストリーム及び／又はベアラ情報を含むことが好ましい。
【００３１】
前記モード切り替えメッセージが、
第１のＵＥと第２のＵＥが端末直接通信を行うリソース配置情報と、
第１のＵＥと第２のＵＥとの端末直接通信／セルラベアラを確立するための端末直接通信／セルラ通信ベアラ確立及び配置情報と、
更新されたＴＦＴ情報と、の中の少なくとも一つを持つことが好ましい。
【００３２】
前記モード切り替え情報を含むメッセージがＲＲＣ再配置シグナル又は他の専用シグナルに載せられ、そして、モード切り替え情報はアクセスサブレイヤを介して送信されるか、又は非アクセスサブレイヤのプロトコルデータユニットによって伝達されることが好ましい。
【００３３】
第１のＵＥがモード切り替え情報に含まれた指示情報に基づいて、モード切り替えを行うことは、
第１のＵＥが、前記モード切り替え情報により指示されたモード切り替えを行う端末直接通信／セルラ通信のデータストリーム及び／又はベアラ情報に基づいて、セルラ通信データベアラ／端末直接通信データベアラを確立するか否かを判定し、又はセルラ通信データベアラ／端末直接通信データベアラを修正するか否かを判定することと、
前記第１のＵＥが前記セルラ通信／端末直接通信データベアラを確立していない場合、前記第１のＵＥが前記モード切り替え情報の指示情報に対応する通信データベアラを確立することと、
前記第１のＵＥが前記セルラ通信データベアラ／端末直接通信データベアラを確立していて、前記第１のＵＥが更新されたＴＦＴ情報を取得した場合、前記第１のＵＥが、前記モード切り替え情報により指示された前記端末直接通信のデータストリーム及び／又はデータベアラ又はセルラ通信のデータストリーム及び／又はデータベアラを前記モード切り替え情報の指示情報に対応するベアラに切り替えして通信を行うことと、
前記第１のＵＥが前記セルラ通信／端末直接通信データベアラを修正する必要がある場合、前記第１のＵＥがデータベアラ修正操作を発することと、を含み、
さらに、前記セルラ通信データベアラ／端末直接通信データベアラが、ＰＤＣＰ、ＲＬＣ、ＭＡＣエンティティ及び論理チャネルに対応する配置情報を含むことが好ましい。
【００３４】
前記第１のＵＥが、モード切り替え完成情報を含むメッセージを第１の基地局に送信することと、又は、前記第１のＵＥが、モード切り替え情報により指示された端末直接通信／セルラ通信のデータベアラのリリースを発することを更に含むことが好ましい。
【００３５】
前記第１のＵＥが前記セルラ通信／端末直接通信データベアラを確立していない場合、前記第１のＵＥが前記モード切り替え情報に指示された通信データベアラを確立することは、
セルラ通信から端末直接通信へのモード切り替えである場合、前記第１のＵＥが、第１の基地局を介して、又は直接に第２のＵＥとの端末直接通信データベアラを確立してＴＦＴ情報を更新することと、
端末直接通信からセルラ通信へのモード切り替えである場合、前記第１のＵＥが前記第２のＵＥとセルラ通信データベアラを確立していないと、前記第１のＵＥがセルラ通信データベアラの確立を請求し、ＴＦＴ情報を更新することと、を含むことが好ましい。
【００３６】
前記第１のＵＥが前記モード切り替え情報に指示された前記端末直接通信のデータストリーム及び／又はデータベアラ又はセルラ通信のデータストリーム及び／又はデータベアラを前記モード切り替え情報の指示情報に対応するベアラに切り替えして通信を行うことは、
セルラ通信から端末直接通信へのモード切り替えである場合、前記第１のＵＥが、第１の基地局に配置された、第１の基地局がスケジューリングした又は前記第１のＵＥが競争した端末直接通信リソースを利用して、端末直接通信データベアラによって、モード切り替えメッセージに指示された前記第１のＵＥと前記第２のＵＥのデータストリームを端末直接通信することと、
端末直接通信からセルラ通信へのモード切り替えである場合、前記第１のＵＥが、第１の基地局がスケジューリングしたセルラ通信リソースに基づいて、セルラ通信データベアラによって、モード切り替え情報に指示された前記第１のＵＥと前記第２のＵＥのデータストリームをセルラ通信することと、を含むことが好ましい。
【００３７】
本発明の又一態様によると、第１の基地局に応用されるモード切り替え装置であって、
第１のユーザ機器ＵＥにモード切り替え情報を含むメッセージを送信し、前記第１のＵＥが前記モード切り替え情報を含むメッセージに持つモードの指示情報に基づいてモード切り替えを行うようにトリガーするように構成された送信モジュールを備えるモード切り替え装置を提供する。
【００３８】
前記第１のＵＥがモード切り替えの条件を満たすか否かを判定するように構成された第１の判定モジュールを更に備え、前記第１の基地局が前記第１のＵＥのサービング基地局であることが好ましい。
【００３９】
前記第１の判定モジュールが、
移動管理エンティティ又はパススルーサーバーに第１のモード切り替え要求情報を含むメッセージを送信するように構成された第２の送信モジュールと、
前記移動管理エンティティ又は前記パススルーサーバーから送信されたモード切り替え応答情報を含むメッセージを受信するように構成された受信モジュールと、を含み、前記モード切り替え応答情報が前記第１のＵＥがモード切り替えの条件を満たすことを指示するものであることが好ましい。
【００４０】
前記第１の判定モジュールが、
前記第１のＵＥは端末直接通信機能を支援し、
前記第１のＵＥと第２のＵＥとの間でセルラデータ通信を行い、
前記第１のＵＥと前記第２のＵＥは近接関係であって、
前記第１のＵＥと前記第２のＵＥが端末直接通信を行うための充分な端末直接通信エアインターフェースリソースがある条件を満たす場合、前記第１のＵＥがセルラ通信モードから端末直接通信モードへの切り替え条件を満たすと判定するように構成された第２の判定モジュールと、
前記第１のＵＥと第２のＵＥとの間で端末直接データ通信を行い、
充分なセルラ通信エアインターフェース及び主力接続リソースがあって、
前記第１のＵＥと前記第２のＵＥは近接関係ではない条件の中の少なくともひとつを満たす場合、前記第１のＵＥが端末直接通信モードからセルラ通信モードへの切り替えの条件を満たすと判定するように構成された第３の判定モジュールと、を含み
前記第２のＵＥが、既に第１のＵＥとセルラ通信を確立し、前記第１のＵＥと端末直接通信を確立したＵＥ、前記第１のＵＥと端末直接通信を確立したＵＥの中の一つであることが好ましい。
【００４１】
前記第１の判定モジュールが第１のユーザ機器ＵＥがモード切り替えの条件を満たすか否かを判定する前、かつ、前記モード切り替えが前記セルラ通信モードから前記端末直接通信モードへの切り替えである場合、前記第１のＵＥのモード傾向情報を取得して、前記端末直接通信モードを優先して利用することを指示するように構成された第１の取得モジュールと、及び／又は以下条件の一つ：
前記第１の基地局が前記第１のＵＥから送信された第２のモード切り替え要求情報を含むメッセージを受信し、パケットデータゲートウェイ、サービングゲートウェイ及び／又は前記第１の基地局がネットワーク負担を低減し、
前記第１の判定モジュールが第１のユーザ機器ＵＥがモード切り替えの条件を満たすか否かを判定する前、かつ、前記モード切り替えが前記端末直接通信モードから前記セルラ通信モードへの切り替えである場合、前記第１の基地局が前記第１のＵＥのモード傾向情報を取得して、前記セルラ通信モードを優先して利用することを指示するように構成された第２の取得モジュールと、を更に含み、及び／又は、
前記第１の基地局が前記第１のＵＥから送信された第２のモード切り替え要求情報を含むメッセージを受信することが好ましい。
【００４２】
前記モード傾向情報が、前記端末直接通信モードを優先して利用することと、前記セルラ通信モードを優先して利用することと、無傾向を含むことが好ましい。
【００４３】
前記モード傾向情報の範囲が、ＵＥレベル、アプリレベル、データストリームレベル、ベアラレベルの中の少なくとも一つを含むことが好ましい。
【００４４】
前記モード傾向情報をＵＥのサブスクリプト情報としてＨＳＳ又はパススルーサーバーに記憶し、かつ、前記モード傾向情報が対応するＵＥによって配置及び修正されることが好ましい。
【００４５】
前記第１のモード切り替え要求情報と前記第２のモード切り替え要求を、専用シグナルによって直接に送信するか、又は測定報告メッセージによって送信することが好ましい。
【００４６】
前記第１のモード切り替え要求情報と前記第２のモード切り替え要求情報が、前記第２のＵＥの識別子、前記第１のＵＥによる前記第２のＵＥに対する信号測定結果、前記第１のＵＥによる第１の基地局に対する信号測定結果、第１のＵＥと第２のＵＥのセルラ通信又は端末直接通信実行指示、前記第１のＵＥと前記第２のＵＥが前記セルラ通信又は前記端末直接通信を行うデータストリームに対応するベアラ情報、前記第１のＵＥと前記第２のＵＥが前記セルラ通信又は前記端末直接通信を行うデータストリーム及び／又はベアラに対応するサービス品質情報、前記第１のＵＥが前記第２のＵＥとの間で前記端末直接通信のデータベアラを確立したか否か及び／又は前記第１のＵＥと前記第２のＵＥとの間に前記直通通信のデータベアラを確立する必要があるの中の少なくとも一つを含むことが好ましい。
【００４７】
前記第１のモード切り替え要求情報と前記第２のモード切り替え要求情報が第２の基地局の情報を含み、前記第２の基地局が第２のＵＥのサービング基地局であることが好ましい。
【００４８】
本発明の更に他の一態様によると、第１のＵＥに応用されるモード切り替え装置であって、第１の基地局から送信されたモード切り替え情報を含むメッセージを受信するように構成された受信モジュールと、ここで、前記第１の基地局は当該第１のＵＥのサービング基地局であって、前記モード切り替え情報を含むメッセージに持つモードの指示情報に基づいて、モード切り替えを行うように構成された切り替えモジュールと、を含むモード切り替え装置を提供する。
【００４９】
前記モード切り替えが、セルラ通信モードから端末直接通信モードへの切り替えと、前記端末直接通信モードから前記セルラ通信モードへの切り替えを含むことが好ましい。
【００５０】
受信した前記モード切り替え情報に基づいて、セルラ通信モードから端末直接通信モードへの切り替えの切り替え条件を満たすか否かを判定するように構成された第４の判定モジュールと、受信した前記モード切り替え情報に基づいて、端末直接通信モードからセルラ通信モードへの切り替えの条件を満たすか否かを判定するように構成された第５の判定モジュールと、を更に含むことが好ましい。
【００５１】
本発明の上記実施例に提供される技術案によると、第１の基地局が第１のＵＥにモード切り替え情報を含むメッセージを送信して、第１のＵＥによる前記モード切り替え情報に持つモードの指示情報に基づくモード切り替えをトリガーすることによって、解决了既存技術においてモードを融通性よく切り替えすることができないのでサービスの連続性が悪い問題を解決し、システム全体の処理量を向上させる効果を実現できる。
【図面の簡単な説明】
【００５２】
ここで説明する図面は本発明を理解させるためのもので、本発明の一部を構成し、本発明における例示的な実施例及びその説明は本発明を解釈するもので、本発明を不当に限定するのではない。
【図１】本発明の実施例に係わるモード切り替え方法を示す第１のフローチャートである。
【図２】本発明の実施例に係わるモード切り替え方法を示す第２のフローチャートである。
【図３】本発明の実施例に係わるモード切り替え装置の構造を示す第１のブロック図である。
【図４】本発明の実施例に係わるモード切り替え装置の好適な構造を示す第１のブロック図である。
【図５】本発明の実施例に係わるモード切り替え装置の構造を示す第２のブロック図である。
【図６】本発明の実施例に係わるモード切り替え装置の好適な構造を示す第２のブロック図である。
【図７】本発明の実施例に係わる端末直接システムのモード切り替えを示す図である。
【図８】本発明の好適な実施例に係わるモード切り替え方法を示すフローチャートである。
【図９】本発明の実施例に係わるＵＥが開始したモード切り替えエアインターフェースのフローチャートである。
【図１０】本発明の実施例に係わるｅＮＢが開始したモード切り替えエアインターフェースのフローチャートである。
【図１１】本発明の実施例に係わるＵＥが開始したモード切り替え失敗エアインターフェースのフローチャートである。
【図１２】本発明の実施例に係わるｅＮＢが開始したモード切り替え協議エアインターフェースのフローチャートである。
【図１３】本発明の実施例に係わるｅＮＢが開始したモード切り替え協議失敗エアインターフェースのフローチャートである。
【図１４】本発明の実施例に係わるｅＮＢがＵＥコンテクスト取得プロセスを介してモード傾向及び端末直接通信能力情報を取得することを示すフローチャートである。
【図１５】本発明の実施例に係わるｅＮＢがＭＭＥ／Ｄ２Ｄサーバー又はＨＳＳからＵＥ端末直接関連情報を取得することを示すフローチャートである。
【図１６】本発明の実施例に係わるｅＮＢがＭＭＥ／Ｄ２Ｄサーバーにモード切り替えの判定を行うことを要求することを示すフローチャートである。
【図１７】本発明の実施例の実例１に係わるモード切り替えを示すフローチャートである。
【図１８】本発明の実施例の実例２に係わるモード切り替えを示すフローチャートである。
【図１９】本発明の実施例の実例３に係わるモード切り替えを示すフローチャートである。
【図２０】本発明の実施例の実例４に係わるモード切り替えを示すフローチャートである。
【図２１】本発明の実施例の実例５に係わるモード切り替えを示すフローチャートである。
【図２２】本発明の実施例の実例６に係わるモード切り替えを示すフローチャートである。
【図２３】本発明の実施例の実例７に係わるモード切り替えを示すフローチャートである。
【図２４】本発明の実施例に係わる隣り合うｅＮＢがモード切り替え協議を行うことを示すフローチャートであるである。
【図２５】本発明の実施例に係わる隣り合うｅＮＢがモード切り替え協議を取り消すことを示すフローチャートである。
【図２６】本発明の実施例に係わる隣り合うｅＮＢのモード切り替え協議失敗を示すフローチャートである。
【図２７】本発明の実施例に係わる隣り合うｅＮＢがＭＭＥを介してモード切り替え協議を行うことを示すフローチャートである。
【図２８】本発明の実施例に係わる本発明の実例８のモード切り替えを示すフローチャートである。
【図２９】本発明の実施例に係わる実例９のモード切り替えを示すフローチャートである。
【図３０】本発明の実施例に係わる実例１０のモード切り替えを示すフローチャートである。
【発明を実施するための形態】
【００５３】
以下、図面を参照しつつ実施例を結合して本発明の実施例を説明する。ここで、衝突しない限り、本願の実施例及びび実施例中の特徴を互いに結合することができる。
本実施例においてモード切り替え方法を提供し、図１は本発明の実施例に係わるモード切り替え方法の第１のフローチャートで、図１に示すように、該方法は以下のステップ（ステップＳ１０２）を含む。
第１の基地局が第１のＵＥにモード切り替え情報を含むメッセージを送信して、当該第１のＵＥが当該モード切り替え情報に持つモードの指示情報に基づいてモード切り替えを行うようにトリガーする（ステップＳ１０２）。
【００５４】
好適な一実施形態として、モード切り替えの信頼性を向上させるため、ステップＳ１０２の前に、前記第１の基地局が前記第１のＵＥがモード切り替えの条件を満たすと判定することを更に含み、ここで、前記第１の基地局は前記第１のＵＥのサービング基地局である。
【００５５】
好適に、第１の基地局は以下の方式で前記第１のＵＥがモード切り替えの条件を満たすことを判定することができる。
方式１：前記第１の基地局が移動管理エンティティ又はパススルーサーバーに第１のモード切り替え要求を送信し、前記第１の基地局が前記移動管理エンティティ又は前記パススルーサーバーから送信された第１のモード切り替え応答メッセージを受信する。ここで、前記第１のモード切り替え応答メッセージは前記第１のＵＥがモード切り替えの条件を満たすことを指示するものである。
【００５６】
方式２：前記第１の基地局が、前記移動管理エンティティ又は前記パススルーサーバーから前記第１の基地局に送信した前記第１のユーザ機器にモード切り替えを指示するためのメッセージを受信する。
【００５７】
好適な一実施形態として、第１の基地局、前記移動管理エンティティ又はパススルーサーバーが、第１のユーザ機器ＵＥがモード切り替えの条件を満たすか否かを判定することが、
前記第１のＵＥが端末直接通信機能を支援し又は端末直接通信を介して認証し、前記第１のＵＥと第２のＵＥとの間でセルラ通信を行い、前記第１のＵＥと前記第２のＵＥが近接関係であって、かつ、前記第１のＵＥと前記第２のＵＥが端末直接通信を行うための充分な端末直接通信エアインターフェースリソースがある条件を満たす場合、前記第１のＵＥがセルラ通信モードから端末直接通信モードへの切り替えの条件を満たすと判定し、
前記第１のＵＥと第２のＵＥとの間で端末直接通信を行い、かつ、充分なセルラ通信エアインターフェース及び主力接続リソースがあることと、
前記第１のＵＥと第２のＵＥとの間で端末直接通信を行い、第１のＵＥと前記第２のＵＥが近接関係ではなく、かつ、充分なセルラ通信エアインターフェース及び主力接続リソースがあることと、の条件の中の一つを満たすと、前記第１のＵＥが端末直接通信モードからセルラ通信モードへの切り替えの条件を満たすと判定し、
ここで、前記第２のＵＥは、第１のＵＥとセルラ通信を確立したＵＥと、前記第１のＵＥと端末直接通信を確立したＵＥとの中の一つである。
【００５８】
好適に、第１の基地局が以下の方式で、第１のユーザ機器と第２のユーザ機器が近接関係であるか否かを判定することができる。
第１の基地局が第１のＵＥに第２のＵＥに対する信号測定を配置し、前記第１のＵＥの測定報告に基づいて、端末直接通信リンク品質閾値を満たすか否かを判定し、満たすのであれば、前記第１のＵＥと前記第２のＵＥとの近接関係を確定し、そうでないと、前記第１のＵＥと前記第２のＵＥが近接関係ではないと確定し、又は、
前記第１の基地局が受信した第１のＵＥから送信された第２のモード切り替え要求情報を含むメッセージに持つ第１のＵＥによる第２のＵＥに対する信号測定結果に基づいて、前記端末直接通信リンク品質閾値を満たすか否かを判定し、満たすのであれば、前記第１のＵＥと前記第２のＵＥとが近接すると確定し、そうでないと、前記第１のＵＥと前記第２のＵＥが近接関係ではないと確定し、又は、
前記第１の基地局がネットワーク側のエンティティから前記第１のＵＥと前記第２のＵＥが近接するか否かの情報を取得して、前記第１のＵＥと前記第２のＵＥとの間の距離が前記端末直接通信距離閾値を満たすか否かを判定し、満たすのであれば、前記第１のＵＥと前記第２のＵＥとが近接関係であると確定し、そうでないと、前記第１のＵＥと前記第２のＵＥが近接関係ではないと確定し、又は、
第１の基地局が前記ネットワーク側のエンティティから前記第１のＵＥと前記第２のＵＥの地理位置情報又は距離情報を取得して、前記第１のＵＥと前記第２のＵＥとの間の距離が前記端末直接通信距離閾値を満たすか否かを判定し、満たすのであれば、前記第１のＵＥと前記第２のＵＥとが近接関係であると確定し、そうでないと、前記第１のＵＥと前記第２のＵＥが近接関係ではないと確定し、
ここで、前記第１のＵＥと前記第２のＵＥが近接関係であると、前記第１の基地局は第１のＵＥと第２のＵＥが端末直接通信を行なえる条件を満たすと認め、満たさないと、前記第１の基地局は前記第１のＵＥと前記第２のＵＥがセルラ通信を行うしかできないと確定する。
【００５９】
実施する際、前記第１のモード切り替え要求情報は、
前記第２のＵＥの識別子、前記第１のＵＥによる前記第２のＵＥに対する信号測定結果、前記第１のＵＥによる第１の基地局に対する信号測定結果、第１のＵＥと第２のＵＥのセルラ通信又は端末直接通信実行指示、前記第１のＵＥと前記第２のＵＥが前記セルラ通信又は前記端末直接通信を行うデータストリームに対応するベアラ情報、前記第１のＵＥと前記第２のＵＥが前記セルラ通信又は前記端末直接通信を行うデータストリーム及び／又はベアラに対応するサービス品質情報、前記第１のＵＥが前記第２のＵＥとの間で前記端末直接通信のデータベアラを確立したか否か及び／又は前記第１のＵＥと前記第２のＵＥとの間に前記直通通信のデータベアラを確立する必要があるかの中の少なくとも一つを含むことができる。
【００６０】
前記ネットワーク側のエンティティが、ユーザ機器にサービスを提供するパケットデータゲートウェイ、サービングゲートウェイ、移動管理エンティティ、パススルーサーバー、位置情報サーバー、ＵＥ発見検定機能付きエンティティの中の一つを含むことが好ましい。
【００６１】
前記第１のＵＥが、第１のユーザ機器と第２のユーザ機器が端末直接通信を行うための充分な端末直接通信エアインターフェースリソースがあるか否かを判定することが、
前記第１の基地局が、前記第１のＵＥと前記第２のＵＥがセルラ通信を行うデータストリームに対応するベアラ情報及び前記第１のＵＥと前記第２のＵＥがセルラ通信を行うデータストリーム及び／又はベアラに対応するサービス品質情報に基づいて、対応する端末直接通信を支援可能な充分な端末直接通信リソースがあるか否かを判定することと、
判定結果が、前記端末直接エアインターフェースリソースが前記第１のＵＥと前記第２のＵＥがセルラ通信を行うデータストリームを支援可能であると、前記第１の基地局が、第１のユーザ機器と第２のユーザ機器が端末直接通信を行うための充分な端末直接通信エアインターフェースリソースがあると判定することと、を含むことが好ましい。
【００６２】
第１の基地局が、以下の方式で充分なセルラ通信エアインターフェース及び主力リンクリソースがあるか否かを判定することができる：前記第１の基地局が前記第１のＵＥと前記第２のＵＥが端末直接通信を行うデータストリームに対応するベアラ情報及び前記第１のＵＥと前記第２のＵＥが端末直接通信を行うデータストリーム及び／又はベアラに対応するサービス品質情報に基づいて、対応するセルラ通信を支援可能である充分なセルラ通信エアインターフェース及び主力リンクリソースがあるか否かを判定し、ここで、前記セルラ通信エアインターフェース及び主力リンクリソースが前記第１のＵＥと前記第２のＵＥが端末直接通信を行うデータストリーム及び／又はベアラを支援可能であると、前記第１の基地局が、第１のユーザ機器と第２のユーザ機器がセルラ通信を行うための充分なセルラ通信エアインターフェース及び主力リンクリソースがあると確定することが好ましい。
【００６３】
好適な一実施形態として、ステップＳ１０２において第１の基地局が前記第１のＵＥのモード切り替えを開始することが以下の方式で実現される。
前記第１の基地局が前記第２の基地局を確定し、前記第２の基地局により前記第２のＵＥがモード切り替えの条件を満たすか否かを判定し、ここで、前記第１の基地局と前記第２の基地局が異なると、前記第１の基地局により前記第２の基地局とのモード切り替え協議を発して、第２のユーザ機器がモード切り替えの条件を満たすか否かを確認し、前記第２の基地局により前記第２のＵＥがモード切り替えの条件を満たすと判定すると、前記第１の基地局と前記第２の基地局がモード切り替えメッセージを送信して第１のＵＥと第２のＵＥにモード切り替えを行と要求する。
【００６４】
他の好適な一実施形態として、第１の基地局が条件を満たさないと判定した場合、当該第１の基地局は、前記第１のＵＥから送信されたモード切り替え拒絶情報を含むメッセージを受信した後、モード切り替え拒絶情報を含むメッセージを送信することができ、ここで、前記モード切り替え拒絶情報は拒絶原因指示情報を含む。
【００６５】
実施する際、当該第１の基地局は、前記第１の基地局がモード切り替え協議要求情報を含むメッセージを第２の基地局に送信し、前記第２の基地局がモード切り替え協議要求情報を含むメッセージを受信して、前記第２のＵＥがモード切り替えの条件を満たすか否かを判定し、前記第２のＵＥがモード切り替え条件を満たすと、前記第２の基地局がモード切り替え協議要求確認情報を含むメッセージを第１の基地局に送信し、そうではないと、第２の基地局がモード切り替え協議失敗情報を含むメッセージを第１の基地局に送信し、モード切り替え協議失敗情報に失敗原因指示を持ち、前記第１の基地局がモード切り替え協議要求確認情報を含むメッセージを受信できると、前記モード切り替え協議に成功し、前記第１の基地局はモード切り替え協議要求情報を含むメッセージを前記第２の基地局に送信した後、モード切り替え協議取消情報を含むメッセージを第２の基地局に送信して、行っているモード切り替え協議を取り消す方式で、第２の基地局とのモード切り替え協議を行う。
【００６６】
前記モード切り替え協議要求情報が、第１のユーザ機器識別子、第２のユーザ機器識別子、第１の基地局が支援する第１のユーザ機器と第２のユーザ機器がセルラ通信／端末直接通信を行うデータストリームに対応するベアラ情報、第１の基地局が支援する第１のユーザ機器と第２のユーザ機器がセルラ通信／端末直接通信を行うデータストリーム及び／又はベアラに対応するサービス品質情報、第１のユーザ機器が第２のユーザ機器と対応する端末直接通信／セルラ通信ベアラを確立したか否か及び／又は第１のユーザ機器と第２のユーザ機器が端末直接通信／セルラ通信ベアラを確立する必要があるとの指示、第１の基地局が第１のユーザ機器に割り当て可能な端末直接通信リソース、第１のユーザ機器の端末直接能力情報の中の一つ又は任意の組み合せを持ち、前記モード切り替え協議要求メッセージが明示的にモード切り替えタイプを含むことが好ましい。
【００６７】
他の好適な一実施形態として、第１の基地局、前記移動管理エンティティ又はパススルーサーバーが第１のユーザ機器ＵＥがモード切り替えの条件を満たすか否かを判定する前、
前記切り替えモードが前記セルラ通信モードから前記端末直接通信モードへの切り替えである場合、前記第１の基地局、前記移動管理エンティティ又はパススルーサーバーが、前記第１のＵＥのモード傾向情報を取得して前記端末直接通信モードを優先して利用することを指示することと、及び／又は、以下条件の一つ：
前記第１の基地局、前記移動管理エンティティ又はパススルーサーバーが、前記第１のＵＥから送信された第２のモード切り替え要求を受信し、パケットデータゲートウェイ、サービングゲートウェイ及び／又は前記第１の基地局がネットワークの負担を低減し、
前記切り替えモードが前記端末直接通信モードから前記セルラ通信モードへの切り替えである場合、前記第１の基地局又は前記移動管理エンティティ又はパススルーサーバーが、前記第１のＵＥのモード傾向情報を取得して、前記セルラ通信モードを優先して利用することを指示することと、及び／又は、
前記第１の基地局又は前記移動管理エンティティ又はパススルーサーバーが、前記第１のＵＥから送信された第２のモード切り替え要求情報を含むメッセージを受信することと、を更に含む。
【００６８】
前記モード傾向情報が、前記端末直接通信モードを優先して利用することと、前記セルラ通信モードを優先して利用することと、無傾向を含むことが好ましい。
【００６９】
前記モード傾向情報の範囲が、ＵＥレベル、アプリレベル、データストリームレベル、ベアラレベルの中の少なくとも一つを含むことが好ましい。
【００７０】
前記モード傾向情報をＵＥのサブスクリプト情報としてＨＳＳ又はパススルーサーバーに記憶し、かつ、前記モード傾向情報を対応するＵＥによって配置及び修正することが好ましい。
【００７１】
前記第２のモード切り替え要求を専用シグナルによって直接に送信するか、又は測定報告メッセージを介して間接的に送信することが好ましい。
【００７２】
前記第１のモード切り替え要求情報と前記第２のモード切り替え要求情報が、前記第２のＵＥの識別子、前記第１のＵＥによる前記第２のＵＥに対する信号測定結果、前記第１のＵＥによる第１の基地局に対する信号測定結果、第１のＵＥと第２のＵＥのセルラ通信又は端末直接通信実行指示、前記第１のＵＥと前記第２のＵＥが前記セルラ通信又は前記端末直接通信を行うデータストリームに対応するベアラ情報、前記第１のＵＥと前記第２のＵＥが前記セルラ通信又は前記端末直接通信を行うデータストリーム及び／又はベアラに対応するサービス品質情報、前記第１のＵＥが前記第２のＵＥとの間で前記端末直接通信のデータベアラを確立したか否か及び／又は前記第１のＵＥと前記第２のＵＥとの間に前記直通通信のデータベアラを確立する必要があるの中の少なくとも一つを含むことが好ましい。
【００７３】
前記第１のモード切り替え要求情報と前記第２のモード切り替え要求情報が、第２の基地局の情報を含み、ここで、前記第２の基地局は第２のＵＥのサービング基地局であることが好ましい。
【００７４】
本実施例においてモード切り替え方法を提供し、図２は本発明の実施例に係わるモード切り替え方法を示す第２のフローチャートで、図２に示すように、該方法は以下のステップ（ステップＳ２０２〜ステップＳ２０４）を含む。
第１のＵＥが、第１の基地局から送信されたモード切り替え情報を含むメッセージを受信し（ステップＳ２０２）、ここで、当該第１の基地局は当該第１のＵＥのサービング基地局であり、
第１のＵＥが、当該モード切り替え情報に持つモードの指示情報に基づいて、モード切り替えを行う（ステップＳ２０４）。
【００７５】
前記モード切り替えが、セルラ通信モードから端末直接通信モードへの切り替えと、前記端末直接通信モードから前記セルラ通信モードへの切り替えとを含むことが好ましい。
【００７６】
好適な一実施形態として、ステップＳ２０４の前、前記第１のＵＥが、受信した前記モード切り替え情報を含むメッセージに基づいて、セルラ通信モードから端末直接通信モードへの切り替えの切り替え条件を満たすか否かを判定することと、前記第１のＵＥが、受信した前記モード切り替え情報に基づいて、端末直接通信モードからセルラ通信モードへの切り替えの条件を満たすか否かを判定することと、を更に含む。
【００７７】
好適に、前記第１のＵＥが、前記モード切り替え情報を含むメッセージを受信して、セルラ通信モードから端末直接通信モードへの切り替えの切り替え条件を満たすか否かを判定することが、第１のＵＥが端末直接通信機能を支援するか否かを判定することと、第１のＵＥが第１のユーザ機器と第２のユーザ機器が端末直接通信を行うための充分な端末直接通信リソースがあるか否かを判定することと、を更に含む。
【００７８】
実施する際、当該モード切り替え情報は、モード切り替え指示、ユーザ機器識別子、モード切り替えを行う端末直接通信のデータストリーム及び／又はベアラ情報、モード切り替えを行うセルラ通信のデータストリーム及び／又はベアラ情報を含むことができる。
【００７９】
当該モード切り替え情報が、第１のＵＥと第２のＵＥが端末直接通信を行うリソース配置情報と、第１のＵＥと第２のＵＥが端末直接通信／セルラベアラに用いられる端末直接通信／セルラ通信ベアラ確立情報と、更新されたＴＦＴ情報との中の少なくとも一つを持つことが好ましい。
【００８０】
前記モード切り替えメッセージがＲＲＣ再配置シグナル又は専用シグナルに載せられ、そして、モード切り替え情報がアクセスサブレイヤ又は非アクセスサブレイヤのプロトコルデータ単元によって伝送されることが好ましい。
【００８１】
他の好適な一実施形態として、第１のＵＥがモード切り替え情報に含まれた指示情報に基づいて、モード切り替えを行うことが、第１のＵＥが前記モード切り替えメッセージに指示されたモード切り替えの端末直接通信／セルラ通信のデータストリーム及び／又はベアラ情報に基づいて、セルラ通信データベアラ／端末直接通信データベアラを確立するか否かを判定し、又はセルラ通信データベアラ／端末直接通信データベアラを修正するか否かを判定することと、前記第１のＵＥが前記セルラ通信／端末直接通信データベアラを確立していない場合、前記第１のＵＥが前記モード切り替え情報の指示情報に対応する通信データベアラを確立することと、前記第１のＵＥが前記セルラ通信データベアラ／端末直接通信データベアラを確立していて前記第１のＵＥが更新さらたＴＦＴ情報を受信した場合、前記第１のＵＥが前記モード切り替え情報に指示された前記端末直接通信のデータストリーム及び／又はデータベアラ又はセルラ通信のデータストリーム及び／又はデータベアラを前記モード切り替え情報の指示情報に対応するベアラに切り替えて通信を行うことと、前記第１のＵＥが前記セルラ通信／端末直接通信データベアラを修正する場合、前記第１のＵＥがデータベアラ修正操作を開始することと、を含む。
【００８２】
当該方法がさらに、前記第１のＵＥがモード切り替え完成メッセージを第１の基地局に送信することと、前記第１のＵＥがモード切り替え情報に指示された端末直接通信／セルラ通信のデータベアラをリリースすることと、を含むことが好ましい。
【００８３】
他の好適な一実施形態として、前記第１のＵＥが前記セルラ通信／端末直接通信データベアラを確立していない場合、前記第１のＵＥが前記モード切り替えメッセージの通信データベアラを確立することが、
セルラ通信から端末直接通信へのモード切り替えである場合、前記第１のＵＥが第１の基地局を介して、又は第２のＵＥと直接に端末直接通信データベアラを確立して、ＴＦＴ情報を更新することと、
端末直接通信からセルラ通信へのモード切り替えである場合、前記第１のＵＥと前記第２のＵＥとがセルラ通信データベアラを確立していない場合、前記第１のＵＥがセルラ通信データベアラを確立しＴＦＴ情報を更新することを要求することと、を含む。
【００８４】
前記第１のＵＥが前記モード切り替え情報に指示された前記端末直接通信のデータストリーム及び／又はデータベアラ又はセルラ通信のデータストリーム及び／又はデータベアラを前記モード切り替え情報の指示情報に対応するベアラに切り替えて通信を行うことが、
セルラ通信から端末直接通信へのモード切り替えである場合、前記第１のＵＥが第１の基地局がスケジューリング／配置した、又は前記第１のＵＥが前記第２のＵＥと協議した端末直接通信リソースを利用して、端末直接通信データベアラによって、モード切り替え情報に指示された前記第１のＵＥと前記第２のＵＥのデータストリームを端末直接通信することと、
端末直接通信からセルラ通信へのモード切り替えである場合、前記第１のＵＥが第１の基地局がスケジューリングしたセルラ通信リソースを利用して、セルラ通信データベアラによって、モード切り替え情報に指示された前記第１のＵＥと前記第２のＵＥのデータストリームをセルラ通信することと、を含むことが好ましい。
【００８５】
本実施例においてモード切り替え装置を提供し、図３は本発明の実施例に係わるモード切り替え装置の構造を示す第１のブロック図で、図３に示すように、当該装置は、第１のユーザ機器ＵＥにモード切り替え情報を含むメッセージを送信して、前記第１のＵＥが前記モード切り替え情報を含むメッセージに持つモードの指示情報に基づいてモード切り替えを行うようにトリガーするように構成された送信モジュール３２を含む。
【００８６】
図４は本発明の実施例に係わるモード切り替え装置の好適な構造を示す第１のブロック図で、図４に示すように、第１のＵＥがモード切り替えの条件を満たすか否かを判定するように構成された第１の判定モジュール４２を更に含み、ここで、前記第１の基地局は前記第１のＵＥのサービング基地局である。
【００８７】
本実施例においてモード切り替え装置を提供し、第１のＵＥに応用されるものであって、図５は本発明の実施例に係わるモード切り替え装置の構造を示す第２のブロック図で、図５に示すように、当該装置は、第１の基地局から送信されたモード切り替え情報を含むメッセージを受信するように構成された受信モジュール５２と、ここで、前記第１の基地局は当該第１のＵＥのサービング基地局であって、前記モード切り替え情報を含むメッセージに持つモードの指示情報に基づいて、モード切り替えを行うように構成された切り替えモジュール５４と、を含む。
【００８８】
図６は本発明の実施例に係わるモード切り替え装置の好適な構造を示す第２のブロック図で、図６に示すように、受信した前記モード切り替え情報に基づいて、セルラ通信モードから端末直接通信モードへの切り替えの切り替え条件を満たすか否かを判定するように構成された第４の判定モジュール６２と、受信した前記モード切り替え情報を含むメッセージに基づいて、端末直接通信モードからセルラ通信モードへの切り替えの条件を満たすか否かを判定するように構成された第５の判定モジュール６４と、を更に含む。
【好適な実施例１】
【００８９】
本好適な実施例において端末直接システムの端末モード切り替え方法を提供し、図８は本発明の好適な実施例に係わるモード切り替え方法を示すフローチャートで、図８に示すように、該方法はステップＳ８０２〜ステップＳ８０４を含む。
第１のユーザ機器が、モード切り替えメッセージを受信する（ステップＳ８０２）
第１のユーザ機器が、モード切り替えメッセージに含まれた指示情報に基づいて、モード切り替えを行う（ステップＳ８０４）。
前記モードが、セルラ通信モードと端末直接通信モードを含むことが好ましい。
モード切り替えが、セルラ通信モードから端末直接通信モードへの切り替えと、端末直接通信モードからセルラ通信モードへの切り替えとを含むことが好ましい。
【００９０】
好適な一実施形態として、第１のユーザ機器がモード切り替えメッセージを受信する前、第１の基地局が第１のユーザ機器がモード切り替えの条件を満たすか否かを判定し、条件を満たすのであれば、第１の基地局がモード切り替えを開始し、条件を満たさないと、第１の基地局が選択的にモード切り替え拒絶メッセージを送信することを更に含む。
当該第１の基地局は第１のユーザ機器のサービング基地局であることが好ましい。
【００９１】
他の好適な一実施形態として、第１の基地局が第１のユーザ機器がモード切り替えの条件を満たすか否かを判定することが、第１の基地局が移動管理エンティティ又はパススルーサーバーにモード切り替え要求を送信することと、移動管理エンティティ又はパススルーサーバーがモード切り替え要求を受信してモード切り替えの条件を満たすか否かを判定し、満たすのであれば、モード切り替え応答メッセージを第１の基地局に送信し、そうではないと、モード切り替え拒絶メッセージを第１の基地局に送信することと、第１の基地局がモード切り替え応答メッセージを受信すると、第１の基地局が第１のユーザ機器がモード切り替えの条件を満たすと認めることと、を含む。
【００９２】
好適に、第１の基地局又は移動管理エンティティ又はパススルーサーバーが第１のユーザ機器がセルラ通信モードから端末直接通信モードへの切り替えの条件を満たすか否かを判定することが、前記第１のユーザ機器が端末直接通信機能を支援するか否かを判定することと、前記第１のユーザ機器が第２のユーザ機器との間でセルラデータ通信を行うか否かを判定することと、第１のユーザ機器が第２のユーザ機器と近接するか否かを判定することと、第１のユーザ機器と第２のユーザ機器が端末直接通信を行うための充分な端末直接通信エアインターフェースリソースがあるか否かを判定することと、を含む。
【００９３】
前記第１の基地局又は移動管理エンティティ又はパススルーサーバーが、第１のユーザ機器が端末直接通信モードからセルラ通信モードへの切り替えの条件を満たすか否かを判定することが、前記第１のユーザ機器が第２のユーザ機器と端末直接データ通信を行っているか否かを判定することと、充分なセルラ通信エアインターフェース及び主力リンクリソースがあるか否かを判定することと、及び／又は、第１のユーザ機器と第２のユーザ機器が近接するか否かを判定することと、を含むことが好ましい。
前記第２のユーザ機器が、第１のユーザ機器が端末直接通信の確立を希望しているユーザ機器又は第１のユーザ機器と端末直接通信を確立したユーザ機器を指すことが好ましい。
【００９４】
前記第１の基地局又は移動管理エンティティ又はパススルーサーバーが、第１のユーザ機器がセルラ通信モードから端末直接通信モードへの切り替えの条件を満たすか否かを判定する前、さらに、
前記第１のユーザ機器のモード傾向情報によって端末直接通信モードを優先して利用することを指示することと、及び／又は、
第１の基地局が第１のユーザ機器から送信されたモード切り替え要求を受信し、又は、
パケットデータゲートウェイ及び／又はサービングゲートウェイ及び／又は基地局がネットワークの負担を低減することと、を含むことが好ましい。
【００９５】
前記第１の基地局又は移動管理エンティティ又はパススルーサーバーが第１のユーザ機器が端末直接通信モードからセルラ通信モードへの切り替えの条件を満たすか否かを判定する前、さらに、
前記第１のユーザ機器のモード傾向情報によってセルラ通信モードを優先して利用することを指示することと、及び／又は、
第１の基地局が第１のユーザ機器から送信されたモード切り替え要求を受信することと、を含むことが好ましく、
前記第１のユーザ機器モード傾向情報が、端末直接通信モードを優先して利用することと、セルラ通信モードを優先して利用することと、無傾向とを含むことが好ましく、
前記第１のユーザ機器モード傾向情報の範囲がユーザ機器レベル、アプリレベル、データストリームレベル、ベアラレベルの中の少なくとも一つを含むことが好ましい。
【００９６】
第１のユーザ機器のモード傾向情報を第１のユーザ機器のサブスクリプト情報としてＨＳＳ又はパススルーサーバー又は他のユーザ機器端末直接属性を記憶する機能エンティティに記憶し、
第１のユーザ機器のモード傾向情報を第１のユーザ機器が配置及び修正し、
第１のユーザ機器又は移動管理エンティティ又はパススルーサーバー又は他の機能エンティティが第１のユーザ機器モード傾向情報を含むメッセージを送信し、第１の基地局が前記メッセージを受信して第１のユーザ機器のモード傾向情報を取得することが好ましい。
【００９７】
前記第１の基地局が第１のユーザ機器から送信されたモード切り替え要求を受信する前、さらに、
前記第１のユーザ機器がモード切り替え要求メッセージを送信して、端末直接通信又はセルラ通信への切り替えを要求することを含むことが好ましく、
モード切り替え要求メッセージが専用シグナルによって送信され、又は他の暗黙的にモード切り替え要求情報を含むメッセージ、例えば測定報告メッセージに載せられることが好ましく、
前記モード切り替え要求メッセージが専用シグナルによって送信され、又は他の暗黙的にモード切り替え要求情報を含むメッセージ、例えば測定報告メッセージに載せられることが、さらに、
モード切り替え要求メッセージが、第２のユーザ機器の識別子、第１のユーザ機器による第２のユーザ機器に対する信号測定結果、第１のユーザ機器によるサービング基地局に対する信号測定結果、第１のユーザ機器と第２のユーザ機器がセルラ通信／端末直接通信を行う指示、第１のユーザ機器と第２のユーザ機器がセルラ通信／端末直接通信を行うデータストリームに対応するベアラ情報、第１のユーザ機器と第２のユーザ機器がセルラ通信／端末直接通信を行うデータストリーム及び／又はベアラに対応するサービス品質情報、第１のユーザ機器が第２のユーザ機器と対応する端末直接通信データベアラを確立したか、及び／又は第１のユーザ機器と第２のユーザ機器が端末直接通信データベアラを確立する必要がある指示の中の少なくとも一つ又は任意の組み合せを含み、
モード切り替え要求メッセージが明示的にモード切り替えタイプを含むことが好ましく、
モード切り替え要求メッセージが選択的に第２の基地局情報を含むことが好ましい。
【００９８】
第１のユーザ機器と第２のユーザ機器がセルラ通信／端末直接通信を行うデータストリームに対応するベアラ情報及び第１のユーザ機器と第２のユーザ機器がセルラ通信／端末直接通信を行うデータストリーム及び／又はベアラに対応するサービス品質情報が、モード切り替えを行おうとする一部のデータストリーム及び／又はベアラに対応することが好ましく、
第２の基地局が第２のユーザ機器のサービング基地局であることが好ましい。
【００９９】
第１の基地局が前記第１のユーザ機器が第２のユーザ機器との間でセルラデータ通信を行っているか否かを判定することが、さらに、
第１の基地局が、受信したモード切り替え要求情報持つ第１のユーザ機器と第２のユーザ機器がセルラ通信を行う指示に基づいて、第１のユーザ機器が第２のユーザ機器との間でセルラデータ通信を行っているか否かを取得することと、又は、
第１の基地局がサービスを提供するユーザ機器の通信データパケットにパケットヘッド検査を行って、ソースアドレス及び目標アドレスの検査に基づいて、第１のユーザ機器が基地局がサービスする第２のユーザ機器とセルラ通信を行っているか否かを判定することと、又は、
第１の基地局が他のネットワーク側のエンティティから第１のユーザ機器が第２のユーザ機器とセルラデータ通信を行っているか否か情報を取得することと、を含むことが好ましい。
【０１００】
第１の基地局が、前記第１のユーザ機器が第２のユーザ機器と端末直接通信を行っているか否かを判定することが、さらに、
第１の基地局が受信したモード切り替え要求情報に持つ第１のユーザ機器と第２のユーザ機器が端末直接通信を行う指示に基づいて、第１のユーザ機器が第２のユーザ機器とセルラデータ通信を行っているか否かを取得することと、又は、
第１の基地局が記憶した第１のユーザ機器のコンテクスト情報から、第１のユーザ機器が第２のユーザ機器と端末直接通信を行っているか否かを取得することと、又は、
第１の基地局が他のネットワーク側のエンティティから第１のユーザ機器が第２のユーザ機器と端末直接通信を行っているか否かの情報を取得することと、を含むことが好ましい。
【０１０１】
第１の基地局が、第１のユーザ機器が第２のユーザ機器と近接するか否かを判定することが、さらに、
第１の基地局が第１のユーザ機器に第２のユーザ機器に対する信号測定を配置し、第１のユーザ機器の測定報告に基づいて、端末直接通信リンク品質閾値を満たすか否かを判定し、又は、第１の基地局が受信したモード切り替え要求メッセージに持つ第１のユーザ機器による第２のユーザ機器に対する信号測定結果に基づいて、端末直接通信リンク品質閾値を満たすか否かを判定し、満たすのであれば、第１のユーザ機器と第２のユーザ機器が近接すると確定し、満たさないと、第１のユーザ機器と第２のユーザ機器が近接しないと確定することと、又は、
第１の基地局が他のネットワーク側のエンティティから、第１のユーザ機器が第２のユーザ機器と近接するか否かの情報を取得することと、又は、
第１の基地局が他のネットワーク側のエンティティから、第１のユーザ機器と第２のユーザ機器の地理位置情報又は距離情報を取得して、両方の距離が端末直接通信距離閾値を満たすか否かを判定し、満たすのであれば、第１のユーザ機器と第２のユーザ機器が近接すると確定し、そうではないと、第１のユーザ機器と第２のユーザ機器が近接しないと確定することと、を含むことが好ましい。
【０１０２】
第１のユーザ機器と第２のユーザ機器が近接すると、第１の基地局が第１のユーザ機器と第２のユーザ機器が端末直接通信を行なえる条件を具備すると判定し、満たさないと、第１の基地局が第１のユーザ機器と第２のユーザ機器がセルラ通信しかできないと判定することが好ましい。
【０１０３】
前記ネットワーク側のエンティティが、ユーザ機器にサービスを提供するパケットデータゲートウェイ、サービングゲートウェイ、移動管理エンティティ、パススルーサーバー、又は他のユーザ機器発見検査機能付きエンティティの中の一つを含むことが好ましい。
【０１０４】
前記第１の基地局が第１のユーザ機器と第２のユーザ機器が端末直接通信を行うための充分な端末直接通信エアインターフェースリソースがあるか否かを判定することが、さらに、
第１の基地局が第１のユーザ機器と第２のユーザ機器がセルラ通信を行うデータストリームに対応するベアラ情報及び第１のユーザ機器と第２のユーザ機器がセルラ通信を行うデータストリーム及び／又はベアラに対応するサービス品質情報に基づいて、対応する端末直接通信を支援可能な充分な端末直接通信リソースがあるかを判定することと、
端末直接エアインターフェースリソースが第１のユーザ機器と第２のユーザ機器がセルラ通信を行うデータストリームの全部または一部を支援可能であると、第１の基地局が、第１のユーザ機器と第２のユーザ機器が端末直接通信を行うための充分な端末直接通信エアインターフェースリソースがあるとの条件を満たすと判定し、そうではないと当該条件を満たさないと判定することと、を含むことが好ましい。
【０１０５】
前記第１の基地局が充分なセルラ通信エアインターフェース及び主力リンクリソースがあるか否かを判定することが、さらに、
第１の基地局が第１のユーザ機器と第２のユーザ機器が端末直接通信を行うデータストリームに対応するベアラ情報及び第１のユーザ機器と第２のユーザ機器が端末直接通信を行うデータストリーム及び／又はベアラに対応するサービス品質情報に基づいて、対応するセルラ通信を支援可能な充分なセルラ通信エアインターフェース及び主力リンクリソースがあるか否かを判定することを含むことが好ましい。
【０１０６】
セルラ通信エアインターフェース及び主力リンクリソースが第１のユーザ機器と第２のユーザ機器が端末直接通信を行うデータストリーム及び／又はベアラの全部又は一部を支援可能であると、第１の基地局は、第１のユーザ機器と第２のユーザ機器がセルラ通信を行うための充分なセルラ通信エアインターフェース及び主力リンクリソースがあるとの条件を満たすと判定し、そうではないと、当該条件を満たさないと判定することもできる。
【０１０７】
条件を満たすのであれば、前記第１の基地局が第１のユーザ機器のモード切り替えを開始することが、さらに、
前記第１の基地局が第２の基地局を確定し、第２の基地局により第２のユーザ機器がモード切り替えの条件を満たすか否かを判定し、さらに、第１の基地局が第２の基地局と異なると、第１の基地局が第２の基地局とのモード切り替え協議を発して第２のユーザ機器がモード切り替えの条件を満たすか否かを確認することを含むことが好ましい。
第２の基地局が、第２のユーザ機器がモード切り替えの条件を満たすと判定すると、第１の基地局と第２の基地局がモード切り替えメッセージを送信して、第１のユーザ機器と第２のユーザ機器にモード切り替えを行うことを要求する。
【０１０８】
条件を満たさないと、第１の基地局がモード切り替え拒絶メッセージを送信することが、さらに、
第１の基地局が第１のユーザ機器から送信されたモード切り替え要求メッセージを受信することを含むことが好ましい。
モード切り替え拒絶メッセージに拒絶原因指示情報が含まれることが好ましい。
【０１０９】
前記第１の基地局が第２の基地局とのモード切り替え協議を開始することが、さらに、
第１の基地局がモード切り替え協議要求メッセージを第２の基地局に送信し、
第２の基地局がモード切り替え協議要求メッセージを受信して、第２のユーザ機器がモード切り替えの条件を満たすか否かを判定し、
第２のユーザ機器がモード切り替え条件を満たすと、第２の基地局がモード切り替え協議要求確認メッセージを第１の基地局に送信し、そうではないと、第２の基地局がモード切り替え協議失敗メッセージを第１の基地局に送信し、モード切り替え協議失敗メッセージに失敗原因指示を含み、
第１の基地局がモード切り替え協議要求確認メッセージを受信できれば、モード切り替え協議成功したことを含むことが好ましい。
第１の基地局がモード切り替え協議要求メッセージを第２の基地局に送信した後、モード切り替え協議取消メッセージを第２の基地局して行っているモード切り替え協議を取り消すことが好ましい。
【０１１０】
第１の基地局がモード切り替え協議要求メッセージを第２の基地局に送信することが、さらに、
モード切り替え協議要求メッセージに、第１のユーザ機器識別子、第２のユーザ機器識別子、第１の基地局が支援する第１のユーザ機器と第２のユーザ機器がセルラ通信／端末直接通信を行うデータストリームに対応するベアラ情報、第１の基地局が支援する第１のユーザ機器と第２のユーザ機器がセルラ通信／端末直接通信を行うデータストリーム及び／又はベアラに対応するサービス品質情報、第１のユーザ機器が第２のユーザ機器と対応する端末直接通信／セルラ通信ベアラを確立したか否か及び／又は第１のユーザ機器と第２のユーザ機器が端末直接通信／セルラ通信ベアラを確立する必要があるとの指示、第１の基地局が第１のユーザ機器に割り当て可能な端末直接通信リソース、第１のユーザ機器の端末直接能力情報の中の一つ又は任意の組みわせを持つことを含むことが好ましい。
モード切り替え協議要求メッセージが明示的にモード切り替えタイプを含むことが好ましい。
【０１１１】
前記第２の基地局が、第２のユーザ機器がセルラ通信モードから端末直接通信モードへの切り替えの条件を満たすか否かを判定することが、さらに、
第２の基地局が、前記第２のユーザ機器が端末直接通信機能を支援するか否かを判定し、
第２の基地局が、第１のユーザ機器と第２のユーザ機器が端末直接通信を行うための充分な端末直接通信リソースがあるか否かを判定することを含むことが好ましい。
【０１１２】
前記第２の基地局が、第２のユーザ機器が端末直接通信モードからセルラ通信モードへの切り替えの条件を満たすか否かを判定することが、
第２の基地局が、充分なエアインターフェース及び主力リンクリソースがあるか否かを判定することを含む。
【０１１３】
第２の基地局が、第１のユーザ機器と第２のユーザ機器が端末直接通信を行うための充分な端末直接通信エアインターフェースリソースがあるか否かを判定することが、さらに、
第２の基地局が受信した第１の基地局が支援する第１のユーザ機器と第２のユーザ機器が端末直接通信を行うデータストリームに対応するベアラ情報及び第１のユーザ機器と第２のユーザ機器セルラ通信を行うデータストリーム及び／又はベアラに対応するサービス品質情報及び／又は第１のユーザ機器のサービング基地局が第１のユーザ機器に割り当て可能な端末直接通信エアインターフェースリソース情報に基づいて、端末直接通信を行うための第２のユーザ機器に割り当て可能な対応するリソースがあるか否かを判定することを含むことが好ましい。
【０１１４】
端末直接エアインターフェースリソースが第１の基地局が支援する第１のユーザ機器と第２のユーザ機器がセルラ通信を行うデータストリームの全部又は一部を支援可能であると、第２の基地局は、第１のユーザ機器と第２のユーザ機器が端末直接通信を行うための充分な端末直接通信エアインターフェースリソースがあるとの条件を満たすと判定し、そうではないと、当該条件を満たさないと判定する。
【０１１５】
前記第２の基地局が充分なエアインターフェース及び主力リンクリソースがあるか否かを判定することが、さらに、
第２の基地局が、受信した第１の基地局が支援する第１のユーザ機器と第２のユーザ機器が端末直接通信を行うデータストリームに対応するベアラ情報及び第１のユーザ機器と第２のユーザ機器が端末直接通信を行うデータストリーム及び／又はベアラに対応するサービス品質情報に基づいて、対応するセルラ通信を支援可能な充分なセルラ通信エアインターフェース及び主力リンクリソースがあるか否かを判定することを含むことが好ましい。
【０１１６】
さらに、セルラ通信エアインターフェース及び主力リンクリソースが、第１の基地局が支援する第１のユーザ機器と第２のユーザ機器が端末直接通信を行うデータストリーム及び／又はベアラの全部又は一部を支援可能であると、第２の基地局は、第１のユーザ機器と第２のユーザ機器がセルラ通信を行うための充分なセルラ通信エアインターフェース及び主力リンクリソースがあるとの条件を満たすと判定し、そうではないと、当該条件を満たさないと判定する。
【０１１７】
第２の基地局がモード切り替え協議要求確認メッセージを第１の基地局に送信することが、さらに、
切り替え協議要求確認メッセージが、第２の基地局が支援する第１のユーザ機器と第２のユーザ機器が端末直接通信／セルラ通信を行うデータストリームに対応するベアラ情報、第２の基地局が支援する第１のユーザ機器と第２のユーザ機器が端末直接通信／セルラ通信を行うデータストリーム及び／又はベアラに対応するサービス品質情報、第１のユーザ機器及び第２のユーザ機器が端末直接通信を行うように割り当て可能なリソース情報、第１のユーザ機器と第２のユーザ機器が共通して支援する能力情報の中の少なくとも一つ又は任意の組み合せを含むことを含むことが好ましい。
【０１１８】
さらに、切り替え協議要求確認メッセージが、第２の基地局が支援しない第１のユーザ機器と第２のユーザ機器が端末直接通信／セルラ通信を行うデータストリームに対応するベアラ情報、第２の基地局が支援しない第１のユーザ機器と第２のユーザ機器が端末直接通信／セルラ通信を行うデータストリーム及び／又はベアラに対応するサービス品質情報を更に含む。
【０１１９】
第２の基地局が、第２のユーザ機器がモード切り替えの条件を満たすか否かを判定することが、さらに、
第２の基地局がモード切り替え協議要求メッセージを第２のユーザ機器に送信し、
第２のユーザ機器がモード切り替え協議要求メッセージを受信して、モード切り替えの条件を満たすか否かを判定し、満たすと、モード切り替え協議要求確認メッセージを送信し、そうではないと、モード切り替え協議失敗メッセージを送信することを含み、モード切り替え協議失敗メッセージに失敗原因指示が含まれることが好ましい。
第２の基地局がモード切り替え協議要求確認メッセージを受信すると、第２のユーザ機器がモード切り替えの条件を満たすと判定する。
【０１２０】
モード切り替え協議要求メッセージに、第１のユーザ機器識別子、第１の基地局が支援する第１のユーザ機器と第２のユーザ機器がセルラ通信／端末直接通信を行うデータストリームに対応するベアラ情報、第１の基地局が支援する第１のユーザ機器と第２のユーザ機器がセルラ通信／端末直接通信を行うデータストリーム及び／又はベアラに対応するサービス品質情報、第１の基地局が第１のユーザ機器に割り当て可能な端末直接通信リソース、第１のユーザ機器の能力情報の中の一つ又は任意の組み合せを持ち、さらに、モード切り替え協議要求メッセージが明示的にモード切り替えタイプを含むことが好ましい。
【０１２１】
モード切り替え協議要求確認メッセージが、第１のユーザ機器識別子、第２のユーザ機器が支援する第１のユーザ機器と第２のユーザ機器が端末直接通信／セルラ通信を行うデータストリームに対応するベアラ情報、第２のユーザ機器が支援する第１のユーザ機器と第２のユーザ機器が端末直接通信／セルラ通信を行うデータストリーム及び／又はベアラに対応するサービス品質情報、端末直接通信を行うように第１のユーザ機器及び第２のユーザ機器に割り当て可能なリソース情報、第１のユーザ機器と第２のユーザ機器が共通して支援する能力情報の中の少なくとも一つ又は任意の組み合せを含むことが好ましい。
【０１２２】
モード切り替え協議要求確認メッセージが、第２のユーザ機器が支援しない第１のユーザ機器と第２のユーザ機器が端末直接通信／セルラ通信を行うデータストリームに対応するベアラ情報、第２のユーザ機器が支援しない第１のユーザ機器と第２のユーザ機器が端末直接通信／セルラ通信を行うデータストリーム及び／又はベアラに対応するサービス品質情報を更に含むことが好ましい。
【０１２３】
第２のユーザ機器がモード切り替え要求メッセージを受信し、セルラ通信モードから端末直接通信モードへの切り替えの切り替え条件を満たすか否かを判定することが、さらに、
第２のユーザ機器が、端末直接通信機能を支援するか否か及び／又は端末直接通信によって認証されたか否かを判定し、
第２のユーザ機器が、第１のユーザ機器と第２のユーザ機器が端末直接通信を行うための充分な端末直接通信リソースがあるか否かを判定することと、を含むことが好ましい。
【０１２４】
第１の基地局と第２の基地局がそれぞれ、モード切り替えメッセージを送信して、第１のユーザ機器と第２のユーザ機器にモード切り替えを行うことを要求することが、さらに、
モード切り替えメッセージが、ユーザ機器識別子、モード切り替えを行う端末直接通信／セルラ通信のデータストリーム及び／又はベアラ情報を含むことを含むことが好ましい。
【０１２５】
モード切り替えメッセージが第１のユーザ機器及び第２のユーザ機器が端末直接通信を行うリソース配置情報を持つことが好ましい。
モード切り替えメッセージが、第１のユーザ機器と第２のユーザ機器が端末直接通信／セルラベアラを確立するための端末直接通信／セルラ通信ベアラ確立情報を含むことが好ましい。
モード切り替えメッセージが、更新されたＴＦＴ情報を含むことが好ましい。
モード切り替えメッセージが専用シグナル又はＲＲＣ再配置及び他の既存のエアインターフェースシグナルに載せられることが好ましい。
【０１２６】
第１のユーザ機器がモード切り替えメッセージに含まれた指示情報に基づいて、モード切り替えを行うことが、さらに、
第１のユーザ機器がモード切り替えメッセージに指示されたモード切り替えする端末直接通信／セルラ通信のデータストリーム及び／又はベアラ情報に基づいて、対応するセルラ通信／端末直接通信データベアラを確立又は修正するか否かを判定し、
第１のユーザ機器が対応するセルラ通信／端末直接通信データベアラを確立していないと、対応する通信データベアラを確立することを含む。
対応するベアラを確定していて、更新されたＴＦＴ情報を取得すると、第１のユーザ機器は、モード切り替えメッセージに指示された端末直接通信／セルラ通信のデータストリーム及び／又はベアラを対応するベアラに切り替えして通信を行う。
第１のユーザ機器が対応するセルラ通信／端末直接通信データベアラを修正すると、データベアラ修正を開始する。
さらに、セルラ通信データベアラ／端末直接通信データベアラは、ＰＤＣＰ、ＲＬＣ、ＭＡＣエンティティ及び論理チャネルに対応する配置情報を含む。
【０１２７】
第１のユーザ機器がモード切り替え完成メッセージを第１の基地局に送信することが好ましい。
そして、第１のユーザ機器がモード切り替えメッセージに指示された端末直接通信／セルラ通信のデータベアラのリリースを開始することもできる。
【０１２８】
第１のユーザ機器が対応するセルラ通信／端末直接通信データベアラを確立していないと、対応する通信データベアラを確立することが、さらに、
セルラ通信から端末直接通信へのモード切り替えである場合、第１のユーザ機器が、第１の基地局を介して、又は直接に第２の端末と端末直接通信データベアラを確立してＴＦＴ情報を更新し、
端末直接通信からセルラ通信へのモード切り替えである場合、第１のユーザ機器と第２のユーザ機器がセルラ通信データベアラを確立していないと、第１のユーザ機器がセルラ通信データベアラを確立してＴＦＴ情報を更新することを要求することを含むことが好ましい。
【０１２９】
第１のユーザ機器が、モード切り替えメッセージに指示された端末直接通信／セルラ通信のデータストリーム及び／又はベアラを対応するベアラに切り替えして通信を行うことが、さらに、
セルラ通信から端末直接通信へのモード切り替えである場合、第１のユーザ機器が、第１の基地局がスケジューリング／配置した又は第１のユーザ機器と第２のユーザ機器が協議した端末直接通信リソースを利用して、端末直接通信データベアラによって、モード切り替えメッセージに指示された第１のユーザ機器と第２のユーザ機器のデータストリームを端末直接通信することを含むことが好ましい。
端末直接通信からセルラ通信へのモード切り替えである場合、第１のユーザ機器が、第１の基地局がスケジューリングしたセルラ通信リソースを利用して、セルラ通信データベアラによって、モード切り替えメッセージに指示された第１のユーザ機器と第２のユーザ機器のデータストリームをセルラ通信する。
【０１３０】
第１のユーザ機器がモード切り替え完成メッセージを第１の基地局に送信した後、さらに、
第１の基地局がモード切り替え完成メッセージを受信し、第１の基地局が切り替えられた端末直接通信／セルラ通信のデータベアラのリリース又は修正を開始することを含むことが好ましい。
【好適な実施例２】
【０１３１】
セルラ通信からＤ２Ｄ通信モードへの切り替えであれ、Ｄ２Ｄ通信からセルラ通信モードへの切り替えであれ、システムいづれもネットワークインフラストラクチャ制御でのモード切り替え中にユーザがモードの切り替えを感じることができないようにして、サービス連続性を保証することを要求している。当該要求に鑑み、本発明において端末直接システムにおける端末モード切り替え方法を提供する。具体的に、図２に示すように、第１のユーザ機器がモード切り替えメッセージを受信した後、第１のユーザ機器がモード切り替えメッセージに含まれた指示情報に基づいてモード切り替えを行う。本発明に提供する方法によると、ネットワークインフラストラクチャがユーザ機器及びその負荷状況に応じて、ユーザ機器にセルラ通信とＤ２Ｄ通信モードとの間で融通性よく切り替えすることを要求し、サービス連続性を保証し、システム全体の処理量を向上させることができる。
【実施例１】
【０１３２】
本実施例においてネットワークにカバーされた状況でのユーザ機器のモード切り替えの方法を提供する。当該実施例の特徴は、モード切り替えを行うユーザ機器が同一の基地局にカバーされていることである。モード切り替えを実現するため、ユーザ機器と基地局及び基地局とコアネットワークエレメントとのシグナル交換は以下のプロセスを含む。
【０１３３】
ＵＥが開始するモード切り替えエアインターフェースプロセスは図９に示すように、以下のステップを含む。
ＵＥ１がｅＮＢにモード切り替え要求メッセージを送信する（ステップＳ９０２）。
ｅＮＢ１が、当該メッセージを受信した後、ＵＥ１がモード切り替えの条件を満たすか否かを判定し、満たすのであれば、モード切り替えメッセージをＵＥ１に送信する（ステップＳ９０４）。
ＵＥ１がモード切り替えメッセージを受信した後、モード切り替えを行って、モード切り替えを完成した後、モード切り替え完成メッセージをｅＮＢに送信する（ステップＳ９０６）。
【０１３４】
本実施例において、ｅＮＢが開始するモード切り替えエアインターフェースプロセスは図１０に示すように、以下のステップＳ１００２とステップＳ１００４を含む。
ｅＮＢ１がモード切り替えメッセージをＵＥ１に送信する（ステップＳ１００２）。
ＵＥ１がモード切り替えメッセージを受信した後、モード切り替えを行って、モード切り替えを完成した後、モード切り替え完成メッセージをｅＮＢに送信する（ステップＳ１００４）。
【０１３５】
本実施例において、図１１に示すように、ＵＥが開始するモード切り替え失敗のエアインターフェースプロセスは以下のステップＳ１１０２〜ステップＳ１１０４を含む。
ＵＥ１がｅＮＢにモード切り替え要求メッセージを送信する（ステップＳ１１０２）。
ｅＮＢ１が当該メッセージを受信した後、ＵＥ１がモード切り替えの条件を満たすか否かを判定し、満たさないと、モード切り替え拒絶メッセージをＵＥ１に送信する（ステップＳ１１０４）。
【０１３６】
本実施例において、図１２に示すように、ｅＮＢが開始するモード切り替え協議のエアインターフェースプロセスは以下のステップＳ１２０２〜ステップＳ１２０４を含む。
ｅＮＢがモード切り替え協議要求をＵＥ１に送信する（ステップＳ１２０２）。
ＵＥ１が、モード切り替えの条件を満たすか否かを判定し、満たすのであれば、モード切り替え協議確認メッセージをｅＮＢに送信する（ステップＳ１２０４）。
【０１３７】
本実施例において、図１３に示すように、ｅＮＢが開始するモード切り替え協議失敗のエアインターフェースプロセスは以下のステップＳ１３０２〜ステップＳ１３０４を含む。
ｅＮＢがモード切り替え協議要求をＵＥ１に送信する（ステップＳ１３０２）。
ＵＥ１がモード切り替えの条件を満たすか否かを判定し、満たさないと、モード切り替え協議失敗メッセージをｅＮＢに送信する（ステップＳ１３０４）。
【０１３８】
ｅＮＢがＵＥモード切り替えを判定する際、通常、例えばモード傾向、端末直接通信能力、モード切り替えを行うＵＥノードピアの位置情報又はＵＥオーど対が近接するか否かの情報等のＵＥの端末直接属性情報を取得しなければならなく、これらの情報の取得プロセスは図１４と図１５に示すとおりである。
【０１３９】
図１４は本発明の実施例に係わるｅＮＢがＵＥコンテクスト取得プロセスを介してモード傾向及び端末直接通信能力情報を取得することを示すフローチャートで、図１４に示すように、以下のステップＳ１４０２〜ステップＳ１４０４を含む。
ＭＭＥがｅＮＢに初期コンテクスト確立要求メッセージを送信し（ステップＳ１４０２）、当該メッセージにはＵＥのコンテクストが含まれていて、ＵＥのコンテクストにはＵＥのモード傾向及び端末直接通信能力等情報が含まれている。
ｅＮＢが当該メッセージを受信した後、ＭＭＥに初期コンテクスト確立応答メッセージを送信する（ステップＳ１４０４）。
【０１４０】
図１５は本発明の実施例に係わるｅＮＢがＭＭＥ／Ｄ２Ｄサーバー又はＨＳＳからＵＥ端末直接関連情報を取得することを示すフローチャートで、その中、ｅＮＢがＵＥにて初めてアクセスする時、又はＵＥがモード切り替えを要求する時、又はｅＮＢが自発的にモード切り替え検査を開始する際、以下のステップＳ１５０２〜ステップＳ１５０４を行う。
ｅＮＢが、ＭＭＥ又はＤ２Ｄサーバー又はＨＳＳにＵＥ端末直接情報要求メッセージを送信し（ステップＳ１５０２）、当該メッセージは必要な情報タイプを指示することもできる。
ＭＭＥ又はＤ２Ｄサーバー又はＨＳＳは当該メッセージを受信した後、ＵＥ端末直接情報応答メッセージをｅＮＢに送信し（ステップＳ１５０４）、その中にＵＥのモード傾向、端末直接発見ブラックリスト・ホワイトリスト、端末直接通信能力、モード切り替えを行うＵＥノードピアの位置情報又はＵＥノードピアが地理的に近接するかの情報を含む。
【０１４１】
ｅＮＢがＵＥの端末直接属性情報を直接に取得することができないと、ＵＥのモード切り替えを判定するに、ｅＮＢがＵＥ端末直接属性情報を取得または記憶しているＭＭＥ／Ｄ２Ｄサーバーにモード切り替えの判定を行うことを要求しなければならなく、図１６に示すように、そのプロセスは以下のステップＳ１６０２〜ステップＳ１６０４を含む。
ｅＮＢがＵＥ１にＭＭＥ／Ｄ２Ｄサーバーにモード切り替え要求メッセージを送信する（ステップＳ１６０２）。
ＭＭＥ／Ｄ２Ｄサーバーが当該メッセージを受信した後、関連するＵＥがモード切り替えの条件を満たすか否かを判定し、満たすのであれば、モード切り替え応答メッセージをｅＮＢに送信し、そうではないと、モード切り替え拒絶メッセージをｅＮＢに送信する（ステップＳ１６０４）。
【０１４２】
例えばモード傾向、端末直接通信能力などのＵＥの一部の端末直接属性をｅＮＢにより図１５に示すプロセスに従って取得することができ、例えば端末直接発見ブラックリスト・ホワイトリスト、ＵＥノードピアの位置情報又はＵＥノードピアが近接するか否かの情報などのその他の一部のＵＥの端末直接属性はｅＮＢが取得できなく、図１６に示すプロセスに従ってＭＭＥ／Ｄ２Ｄサーバーによって関連する判定を行うことが好ましい。
【０１４３】
以下、実例１〜実例７によって端末直接システムでのモード切り替え方法を詳しく説明する。
（実例１）
ネットワークインフラストラクチャにカバーされている状況下、ＵＥ１とＵＥ２は端末直接発見及び端末直接通信能力を具備し、端末直接機能をオンした。ＵＥ１とＵＥ２との間にデータセッション通信を確立していて、そのデータストリームはセルラネットワークのインフラストラクチャを介して転送される。ＵＥ１がＵＥ２の周辺領域ヘ移動するに伴って、ＵＥ１はＵＥ２から送信された発見信号を検出できる。ＵＥ１とＵＥ２との距離が近接し、ＵＥ１が検査できるＵＥ２から送信された測定信号はますます強くなって、測定報告に設定された閾値を超えると、ＵＥ１は測定報告メッセージをサービング基地局ｅＮＢ１に送信する。図１７は本発明の実施例に係わる実例１のモード切り替えを示すフローチャートで、図１７に示すように、以下のステップを含む。
ＵＥ２が、ＵＥ１にＤ２Ｄ発見信号を送信する（ステップＳ１７０２）。
ＵＥ１が、ＵＥ２から送信されたＤ２Ｄ発見信号を検査して測定を行って、必要な時には測定報告する（ステップＳ１７０４）。測定報告メッセージにＵＥ２の識別子、ＵＥ１によるＵＥ２に対する信号測定結果、ＵＥ１によるサービング基地局に対する信号測定結果、ＵＥ１とＵＥ２がセルラ通信を行う指示、ＵＥ１とＵＥ２がセルラ通信を行うデータストリームに対応するベアラ情報、ＵＥ１とＵＥ２がセルラ通信を行うデータストリーム及び／又はベアラに対応するサービス品質情報、ＵＥ１がＵＥ２と対応する端末直接通信データベアラを確立したか否か及び／又はＵＥ１とＵＥ２が端末直接通信データベアラを確立する必要があるとの指示を含むことができる。そして、測定報告メッセージ中に、モード切り替えタイプ及びＵＥ２のサービング基地局情報を含むこともでき、その中のモード切り替えタイプはセルラ通信から端末直接通信モードへの切り替えを指示する。
【０１４４】
ＵＥ１が、ｅＮＢ１に測定報告する（ステップＳ１７０６）。
ｅＮＢ１がＵＥ１の測定報告を受信した後、モード切り替えの条件を満たすか否かを判定する（ステップＳ１７０８）。例えば、測定報告中のＵＥ２の信号品質が十分に優れていて、その前にコアネットワークエレメントから取得したＵＥ１のモード傾向情報によってＵＥ１がユーザ機器レベルにより端末直接通信モード（ユーザ機器レベル優先）を優先して利用することを指示していると、ＵＥ１がセルラ通信モードから端末直接通信モードへの切り替えの条件を満たすか否かの判定をトリガーする。
ｅＮＢ１が、モード切り替えを制御する（ステップＳ１７１０）。
【０１４５】
ｅＮＢ１が、ＵＥ１がセルラ通信モードから端末直接通信モードへの切り替えの条件を満たすか否化を判定することが、ＵＥ１が端末直接通信機能を支援するか否か、ＵＥ１がＵＥ２との間にセルラデータ通信を行っているか否か、ＵＥ１がＵＥ２と近接するか否か及びＵＥ１とＵＥ２が端末直接通信を行うための充分な端末直接通信エアインターフェースリソースがあるか否かを判定することを含む。
ｅＮＢ１が、ＭＭＥ／Ｄ２Ｄサーバー又はＨＳＳから取得したＵＥ端末直接属性情報に基づいて、ＵＥ１の端末直接通信支援能力を判定する。
【０１４６】
ｅＮＢ１は、測定報告メッセージに持つＵＥ１とＵＥ２がセルラ通信を行う指示に基づいて、ＵＥ１とＵＥ２とがセルラデータ通信を行っているか否かを判定することができる。
ｅＮＢ１は、ＵＥ１の測定報告に基づいて、ＵＥ１がＵＥ２と端末直接通信を行うリンク品質閾値を満たすと判定するので、ＵＥ１とＵＥ２が近接する判定する。
【０１４７】
ｅＮＢ１はＵＥ１とＵＥ２がセルラ通信を行うデータストリームに対応するベアラ情報及びＵＥ１とＵＥ２がセルラ通信を行うデータストリーム及び／又はベアラに対応するサービス品質情報に基づいて、対応する端末直接通信を支援可能な充分な端末直接通信リソースがあるか否かを判定する。端末直接エアインターフェースリソースが、ＵＥ１とＵＥ２がセルラ通信を行うデータストリームの全部または一部を支援可能であると、ｅＮＢ１はＵＥ１とＵＥ２が端末直接通信を行うための充分な端末直接通信エアインターフェースリソースがあると判定する。
【０１４８】
次に、ｅＮＢ１はＵＥ２のサービング基地局を確定し、ＵＥ２のサービング基地局を取得する方法は本発明の保護範囲内のものではない。本実例において、ＵＥ２のサービング基地局がｅＮＢ１であるので、ｅＮＢ１は継続してＵＥ２がモード切り替えの条件を満たすか否かを判定し、具体的には、ｅＮＢ１が前記ＵＥ２が端末直接通信機能を支援するか否かを判定し、ｅＮＢ１はＭＭＥ／ＰｒｏＳｅサーバー又はＨＳＳから取得したＵＥ端末直接属性情報に基づいてＵＥ２の端末直接通信支援能力を取得する。
【０１４９】
ＵＥ１とＵＥ２がモード切り替えを完成する（ステップＳ１７１２）。
ＵＥ１とＵＥ２がいずれもモード切り替えの条件を満たす場合、ｅＮＢ１はモード切り替えメッセージをＵＥ１とＵＥ２に送信する。モード切り替えメッセージはモード切り替え通信を行おうとするＵＥ識別子、モード切り替えを行うセルラ通信のデータストリーム及び／又はベアラ情報を含む。そして、モード切り替えメッセージは、ｅＮＢ１がＵＥ１とＵＥ２に端末直接通信用の専用リソース又は専用リソースプールを割り当てるための、ＵＥ１とＵＥ２が端末直接通信を行うリソース配置情報を含む。ＵＥ１とＵＥ２が端末直接通信データベアラを確立していない又は測定報告メッセージに端末直接通信データベアラを確立する必要のある指示があると、モード切り替えメッセージは、ＵＥ１とＵＥ２が端末直接通信ベアラを確立するための、端末直接通信ベアラ確立情報を更に含むことができる。そして、モード切り替えメッセージは、元のＵＥ１とＵＥ２のセルラ通信データストリームをセルラデータベアラから端末直接データベアラに更新するための、更新されたＴＦＴ情報を含むことができる。当該モード切り替えメッセージは新規に設計されたエアインターフェースシグナルであるか、又はＲＲＣ再配置及び他の既存エアインターフェースシグナルに載せられることができる。
【０１５０】
ＵＥ１とＵＥ２は、モード切り替えメッセージに指示されたモード切り替えを行う必要のあるセルラ通信のデータストリーム及び／又はベアラ情報に基づいて、対応する端末直接通信データベアラを確立するか否かを判定する。対応するベアラを確立していて、更新されたＴＦＴ情報を取得していると、ＵＥ１とＵＥ２はモード切り替えメッセージに指示されたセルラ通信のデータストリームを対応する端末直接通信データベアラに切り替えする。セルラ通信から端末直接通信へのモード切り替えである場合、ＵＥ１はｅＮＢ１がモード切り替えメッセージに配置した端末直接通信リソースを利用して、ＵＥ２と端末直接通信を行う。
ＵＥ１とＵＥ２はモード切り替えを完成した後、モード切り替え完成メッセージをｅＮＢ１に送信することもできる。ｅＮＢ１はＵＥ１とＵＥ２のモード切り替え完成メッセージを受信した後、切り替えられたセルラ通信データベアラをリリースまたは修正を開始することができる。これで、ＵＥ１とＵＥ２のセルラ通信モードから端末直接通信モードへのモード切り替えを完成する。
【０１５１】
（実例２）
ネットワークインフラストラクチャにカバーされた状況下、ＵＥ１とＵＥ２は端末直接発見及び端末直接通信能力を具備し、端末直接機能をオンした。ＵＥ１とＵＥ２はデータセッション通信を確立し、そのデータストリームはセルラネットワークのインフラストラクチャを介して転送される。ＵＥ１がＵＥ２の周辺領域ヘ移動するに伴って、ＵＥ１はＵＥ２から送信された発見信号を検査できる。ＵＥ１とＵＥ２との距離がますます近接し、ＵＥ１が検査できるＵＥ２から送信された測定信号はますます強くなる。同時に、ＵＥ１はＵＥ２との間にセルラ通信するデータストリームがあると判定する。ＵＥ１はモード切り替え要求メッセージをサービング基地局ｅＮＢ１に送信する。図１８は本発明の実施例に係わる実例２のモード切り替えを示すフローチャートで、図１８に示すように、ステップＳ１８０２〜ステップ１８１６を含む。
【０１５２】
ＵＥ２がＵＥ１にＤ２Ｄ発見信号を送信する（ステップＳ１８０２）。
ＵＥ１がＵＥ２から送信されたＤ２Ｄ発見信号を検査して測定すると共に、ＵＥ２とのデータストリームがあるか否かを判定する（ステップＳ１８０４）。
【０１５３】
モード切り替え要求を送信する（ステップＳ１８０６）。
当該モード切り替え要求メッセージに、ＵＥ２の識別子、ＵＥ１によるＵＥ２に対する信号測定結果、ＵＥ１とＵＥ２がセルラ通信を行う指示、ＵＥ１とＵＥ２がセルラ通信を行うデータストリームに対応するベアラ情報、ＵＥ１とＵＥ２がセルラ通信を行うデータストリーム及び／又はベアラに対応するサービス品質情報、ＵＥ１がＵＥ２と対応する端末直接通信データベアラを確立したか否か及び／又はＵＥ１とＵＥ２が端末直接通信データベアラを確立する必要があるとの指示を含むことができる。そして、モード切り替え要求メッセージにモード切り替えタイプ及びＵＥ２のサービング基地局情報を更に含むことができ、その中、モード切り替えタイプはセルラ通信から端末直接通信モードへの切り替えを指示する。
ｅＮＢ１がＭＭＥ／Ｄ２Ｄサーバーにモード切り替え要求を送信する（ステップＳ１８０８）。
ｅＮＢ１はＵＥ１のモード切り替え要求を受信した後、移動管理エンティティ又はパススルーサーバーにモード切り替え要求を送信する。ｅＮＢ１が移動管理エンティティ又はパススルーサーバーに送信するモード切り替え要求は、ＵＥ１とＵＥ２の識別子、ＵＥ１によるＵＥ２に対する信号測定結果、ＵＥ１とＵＥ２がセルラ通信を行う指示、ＵＥ１とＵＥ２がセルラ通信を行うデータストリームに対応するベアラ情報、ＵＥ１とＵＥ２がセルラ通信を行うデータストリーム及び／又はベアラに対応するサービス品質情報、ＵＥ１がＵＥ２と対応する端末直接通信データベアラを確立したか否か及び／又はＵＥ１とＵＥ２が端末直接通信データベアラを確立する必要があるとの指示の中の少なくとも一つ又は任意の組み合せを含むことができる。そして、モード切り替え要求メッセージは、モード切り替えタイプ及びＵＥ２のサービング基地局情報を更に含むこともでき、その中、モード切り替えタイプはセルラ通信から端末直接通信モードへの切り替えを指示する。
【０１５４】
モード切り替えの条件を満たすか否かを判定する（ステップＳ１８１０）。
移動管理エンティティ又はパススルーサーバーが、モード切り替え要求を受信し、モード切り替えの条件を満たすか否かを判定する。移動管理エンティティ又はパススルーサーバーがＵＥ１とＵＥ２がセルラ通信モードから端末直接通信モードへの切り替えの条件を満たすか否かを判定することが、ＵＥ１が端末直接通信機能を支援するか否かを判定することを含む。そして、移動管理エンティティ又はパススルーサーバーはさらに、ＵＥ１がＵＥ２と近接するか否かを判定するように情報を提供することができる。
移動管理エンティティ又はパススルーサーバーにＵＥ端末直接通信能力情報を記憶していると、直接にＵＥ１とＵＥ２が端末直接通信を支援するか否かを判定することができる。そうでないと、移動管理エンティティ又はパススルーサーバーはＨＳＳからＵＥ端末直接属性情報を取得して、ＵＥ１とＵＥ２が端末直接通信を支援する条件を満たすか否かを判定する。
【０１５５】
モード切り替え応答を送信する（ステップＳ１８１２）。
ＵＥ１とＵＥ２がいずれも端末直接通信能力を具備する場合、移動管理エンティティ又はパススルーサーバーはモード切り替え応答メッセージをｅＮＢ１に送信する。ｅＮＢ１はモード切り替え応答メッセージを受信した後、ｅＮＢ１はさらにＵＥ１とＵＥ２が近接するか否か及びＵＥ１とＵＥ２が端末直接通信を行うための充分な端末直接通信リソースがあるか否かを判定する。
ｅＮＢ１はＵＥ１から送信されたモード切り替え要求に持つ発見信号測定に基づいて、ＵＥ１がＵＥ２と端末直接通信を行うためのリンク品質閾値を満たすと判定することで、ＵＥ１がＵＥ２と近接すると判定する。そして、移動管理エンティティ又はパススルーサーバーは位置サーバーからＵＥ１とＵＥ２の地理位置情報又は距離情報を取得して、両方の距離が端末直接通信距離閾値を満たすか否かを判定し、満たすのであれば、第１のユーザ機器と第２のユーザ機器が近接すると判定し、当該情報をモード切り替え応答メッセージを介してｅＮＢ１に送信する。
ｅＮＢ１は、サービスを提供するユーザ機器の通信データパケットのパケットヘッドを検査し、ソースアドレス及び目標アドレスに基づいて検査して、ＵＥ１とＵＥ２がセルラ通信を行うこと及びに対応するベアラ情報を判定することができる。その後、ｅＮＢはＵＥ１とＵＥ２がセルラ通信を行うデータストリームに対応するベアラ情報及びＵＥ１とＵＥ２がセルラ通信を行うデータストリーム及び／又はベアラに対応するサービス品質情報に基づいて、対応する端末直接通信を支援可能な充分な端末直接通信リソースがあるか否かを判定する。端末直接エアインターフェースリソースがＵＥ１とＵＥ２がセルラ通信を行うデータストリームの全部または一部を支援可能であると、ｅＮＢ１はＵＥ１とＵＥ２が端末直接通信を行うための充分な端末直接通信エアインターフェースリソースがあると判定する。
【０１５６】
モード切り替えを行う（ステップＳ１８１４）。
上記条件を全て満たす場合、ｅＮＢ１はＵＥ１がモード切り替えの条件を満たすと判定し、モード切り替えメッセージをＵＥ１とＵＥ２に送信する。モード切り替えメッセージはモード切り替え通信を行うＵＥ識別子、モード切り替えを行うセルラ通信のデータストリーム及び／又はベアラ情報を含む。そして、モード切り替えメッセージは、ｅＮＢ１及び／又はパススルーサーバーが端末直接通信用の専用リソース又は専用リソースプールをＵＥ１とＵＥ２に割り当てるためのＵＥ１とＵＥ２が端末直接通信を行うリソース配置情報を含むこともできる。ＵＥ１とＵＥ２が端末直接通信データベアラを確立していないと、又は測定報告メッセージに端末直接通信データベアラを確立する必要があるとの指示があると、モード切り替えメッセージに、ＵＥ１とＵＥ２が端末直接通信ベアラを確立するための、端末直接通信ベアラ確立情報を含むことができる。そして、モード切り替えメッセージは、元のＵＥ１とＵＥ２のセルラ通信データストリームをセルラデータベアラから端末直接データベアラに更新するための、更新されたＴＦＴ情報を含むことができる。当該モード切り替えメッセージは新規に設計されたエアインターフェースシグナルであるか、又はＲＲＣ再配置及び他の既存エアインターフェースシグナルに載せられることができる。
ＵＥ１とＵＥ２は、モード切り替えメッセージに指示されたモード切り替えを行うべきセルラ通信のデータストリーム及び／又はベアラ情報に基づいて、対応する端末直接通信データベアラを確立するか否かを判定する。対応するベアラを確立していないと、ＵＥ１とＵＥ２はｅＮＢ１を介して、又は直接に端末直接通信データベアラを確立してＴＦＴ情報を更新し、その後、モード切り替えメッセージに指示されたセルラ通信のデータストリームを対応する端末直接通信データベアラに切り替えし、最後に、ＵＥ１はｅＮＢ１がモード切り替えメッセージに配置した端末直接通信リソースを利用して、ＵＥ２と端末直接通信を行う。
【０１５７】
モード切り替えを完成する（ステップＳ１８１６）。
ＵＥ１とＵＥ２はモード切り替えを完成した後、モード切り替え完成メッセージをｅＮＢ１に送信することもできる。ｅＮＢ１はＵＥ１とＵＥ２のモード切り替え完成メッセージを受信した後、切り替えられたセルラ通信データベアラのリリースまたは修正を開始することができる。これで、ＵＥ１とＵＥ２のセルラ通信モードから端末直接通信モードへのモード切り替えを完成する。
上記実例において、ｅＮＢ１が、ＵＥ１とＵＥ２が近接するか否か及びＵＥ１とＵＥ２が端末直接通信を行うための充分なエアインターフェースリソースがあるか否かを判定する。こらに対し、移動管理エンティティとパススルーサーバーが、ＵＥ１とＵＥ２が端末直接通信能力を具備するか否かを判定する。そして、移動管理エンティティとパススルーサーバーがＵＥ１とＵＥ２が近接するか否かを判定することもでき、この場合、ｅＮＢ１が、ＵＥ１とＵＥ２が端末直接通信を行うための充分なエアインターフェースリソースがあるか否かを判定すればよい。又は、移動管理エンティティとパススルーサーバーが、ＵＥ１とＵＥ２が端末直接通信能力を具備するか否か、ＵＥ１とＵＥ２が近接するか否か、ＵＥ１とＵＥ２が端末直接通信を行うための充分なエアインターフェースリソースがあるか否かを判定することもでき、このような場合、ｅＮＢ１はモード切り替え要求メッセージを転送すればよい。又は、移動管理エンティティとパススルーサーバーが、ＵＥ１とＵＥ２が近接するか否かを判定し、ｅＮＢ１がＵＥ１とＵＥ２が端末直接通信能力を具備するか否か及びＵＥ１とＵＥ２が端末直接通信を行うための充分なエアインターフェースリソースがあるか否かを判定することもできる。
【０１５８】
（実例３）
ネットワークインフラストラクチャにカバーされた状況下、ＵＥ１とＵＥ２は端末直接発見及び端末直接通信能力を具備し、端末直接機能をオンした。ＵＥ１とＵＥ２との間にデータセッション通信を確立していて、そのデータストリームは端末直接通信ベアラによって通信する。ＵＥ１がＵＥ２の周辺領域からますます離れていくに伴って、ＵＥ１が検査できるＵＥ２から送信された発見信号は次第に所定の閾値より弱くなる。同時に、ＵＥ１はＵＥ２との間に端末直接通信のデータストリームがあると判定する。ＵＥ１はモード切り替え要求メッセージをサービング基地局ｅＮＢ１に送信する。
【０１５９】
図１９は本発明の実施例に係わる実例３のモード切り替えを示すフローチャートで、図１９に示すように、以下のステップＳ１９０２〜ステップＳ１９１８を含む。
ＵＥ２がＵＥ１にＤ２Ｄ発見信号を送信する（ステップＳ１９０２）。
ＵＥ１が、ＵＥ２から送信されたＤ２Ｄ発見信号を検査して測定すると共に、ＵＥ２との間にデータストリームがあるか否かを判定する（ステップＳ１９０４）。
【０１６０】
モード切り替え要求を送信する（ステップＳ１９０６）。
モード切り替え要求メッセージは、ＵＥ２の識別子、ＵＥ１によるＵＥ２に対する信号測定結果、ＵＥ１によるサービング基地局に対する測定結果、ＵＥ１とＵＥ２が端末直接通信を行う指示、ＵＥ１とＵＥ２が端末直接通信を行うデータストリームに対応するベアラ情報、ＵＥ１とＵＥ２が端末直接通信を行うデータストリーム及び／又はベアラに対応するサービス品質情報、ＵＥ１がＵＥ２との間で対応するセルラ通信データベアラを確立したか否か及び／又はＵＥ１とＵＥ２がセルラ通信データベアラを確立する必要があるとの指示の中の少なくとも一つ又は任意の組み合せを含むことができる。そして、モード切り替え要求メッセージは、モード切り替えタイプ及びＵＥ２のサービング基地局情報を更に含むこともでき、その中、モード切り替えタイプは端末直接通信からセルラ通信モードへの切り替えを指示する。
【０１６１】
ｅＮＢ１が、モード切り替えの条件を満たすか否かを判定する（ステップＳ１９０８）。
ｅＮＢ１はモード切り替え要求メッセージを受信した後、測定報告中のＵＥ２の発見信号品質が悪く、割り当てられた端末直接通信リソースがＵＥ１とＵＥ２のデータストリーム及び／又はベアラのサービス品質要求を満たすことができないことを発現すると、ＵＥ１が端末直接通信モードからセルラ通信モードへの切り替えの条件を満たすか否かの判定をトリガーする。
ｅＮＢ１が、ＵＥ１が端末直接通信モードからセルラ通信モードへの切り替えの条件を満たすか否かを判定することが、ＵＥ１がＵＥ２と端末直接データ通信を行っているか否かを判定することと、充分なセルラ通信エアインターフェース及び主力リンクリソースがあるか否かを判定することと、を含む。
【０１６２】
ｅＮＢ１は、モード切り替え要求メッセージに持つＵＥ１とＵＥ２が端末直接通信を行う指示に基づいて、ＵＥ１とＵＥ２とが端末直接通信を行っているか否かを判定することができる。そして、ｅＮＢ１は記憶したＵＥ１のコンテクスト情報に基づいて、第１のユーザ機器が第２のユーザ機器と端末直接通信を行っているか否かを判定することができ、そして、ｅＮＢ１は他のネットワーク側のエンティティからＵＥ１がＵＥ２と端末直接通信を行っているか否かの関連情報を取得することもできる。
ｅＮＢ１は、ＵＥ１とＵＥ２が端末直接通信を行うデータストリームに対応するベアラ情報及びＵＥ１とＵＥ２が端末直接通信を行うデータストリーム及び／又はベアラに対応するサービス品質情報に基づいて、対応するセルラ通信を支援可能な充分なセルラ通信エアインターフェース及び主力リンクリソースがあるか否かを判定する。セルラ通信エアインターフェース及び主力リンクリソースがＵＥ１とＵＥ２が端末直接通信を行うデータストリーム及び／又はベアラの全部又は一部を支援可能であると、第１のユーザ機器と第２のユーザ機器がセルラ通信を行うための充分なセルラ通信エアインターフェース及び主力リンクリソースがあるとの条件を満たすと判定し、そうではないと、当該条件を満たさないと判定する。
【０１６３】
モード切り替え協議要求を送信する（ステップＳ１９１０）。
ｅＮＢ１がＵＥ２のサービング基地局を確定し、ＵＥ２のサービング基地局を取得する方法は本願の保護範囲内のものではない。本実例において、ＵＥ２のサービング基地局はｅＮＢ１で、ｅＮＢ１は継続してＵＥ２がモード切り替えの条件を満たすか否かを判定する。ｅＮＢ１はモード切り替え協議要求メッセージをＵＥ２に送信する。モード切り替え協議要求メッセージは、ＵＥ１の識別子、ＵＥ１とＵＥ２が端末直接通信を行うデータストリームに対応するベアラ情報、ＵＥ１とＵＥ２が端末直接通信を行うデータストリーム及び／又はベアラに対応するサービス品質情報の中の一つ又は任意の組み合せを含むことができる。そして、モード切り替え協議要求メッセージは明示的にモード切り替えタイプを含んで、端末直接通信からセルラ通信への切り替えを指示することができる。
【０１６４】
モード切り替えの条件を満たすか否かを判定する（ステップＳ１９１２）。
ＵＥ２はモード切り替え協議要求メッセージを受信して、モード切り替えの条件を満たすか否かを判定する。
【０１６５】
満たすと、モード切り替え協議要求確認メッセージを送信し、そうではないと、モード切り替え協議失敗メッセージを送信し（ステップＳ１９１４）、モード切り替え協議失敗メッセージは失敗原因指示を含む。モード切り替え協議要求確認メッセージは、ＵＥ１の識別子、ＵＥ２が支援するＵＥ１とＵＥ２がセルラ通信を行うデータストリームに対応するベアラ情報、ＵＥ２が支援するＵＥ１とＵＥ２がセルラ通信を行うデータストリーム及び／又はベアラに対応するサービス品質情報の中の少なくとも一つ又は任意の組み合せを含むことができる。そして、モード切り替え協議要求確認メッセージは、ＵＥ２が支援しないＵＥ１とＵＥ２がセルラ通信を行うデータストリームに対応するベアラ情報、ＵＥ２が支援しないＵＥ１とＵＥ２がセルラ通信を行うデータストリーム及び／又はベアラに対応するサービス品質情報を含むこともできる。ｅＮＢ１はモード切り替え協議要求確認メッセージを受信すると、ＵＥ２がモード切り替えの条件を満たすと判定する。
【０１６６】
その後、ｅＮＢ１はモード切り替えメッセージをＵＥ１とＵＥ２に送信する。モード切り替えメッセージは、モード切り替え通信を行うＵＥ識別子、モード切り替えを行う端末直接通信のデータストリーム及び／又はベアラ情報を含む。ＵＥ１とＵＥ２がセルラ通信データベアラを確立していないと、又は測定報告メッセージにセルラ通信データベアラを確立する必要のあるとの指示があると、モード切り替えメッセージはＵＥ１とＵＥ２がセルラ通信ベアラを確立するためのセルラ通信ベアラ配置／確立情報を含むことができる。当該モード切り替えメッセージは新規に設計されたエアインターフェースシグナルであるか、又はＲＲＣ再配置及び他の既存エアインターフェースシグナルに載せられることができる。
【０１６７】
ＵＥ１とＵＥ２は、モード切り替えメッセージに指示されたモード切り替えを行う必要のある端末直接通信のデータストリーム及び／又はベアラ情報に基づいて、対応するセルラ通信データベアラを確立するか否か及びセルラ通信データベアラを修正するか否かを判定する（ステップＳ１９１６）。対応するベアラを確立していないと又はベアラを修正する必要があると、ＵＥ１及び／又はＵＥ２はｅＮＢ１を介して端末直接通信データベアラを確立又は修正して、ＴＦＴ情報を更新し、その後、モード切り替えメッセージに指示された端末直接通信のデータストリームを対応するセルラ通信データベアラに切り替えし、最後に、ＵＥ１とＵＥ２はｅＮＢ１のスケジューリングに応じてセルラ通信を行う。
【０１６８】
ＵＥ１とＵＥ２はモード切り替えを完成した後、モード切り替え完成メッセージをｅＮＢ１に送信することもできる（ステップＳ１９１８）。ｅＮＢ１はＵＥ１とＵＥ２のモード切り替え完成メッセージを受信した後、端末直接通信データベアラのリリース又は修正を開始することができる。これで、ＵＥ１とＵＥ２の端末直接通信モードからセルラ通信モードへののモード切り替えを完成する。
【０１６９】
（実例４）
ネットワークインフラストラクチャにカバーされた状況下、ＵＥ１とＵＥ２は端末直接発見及び端末直接通信能力を具備し、端末直接機能をオンした。ＵＥ１とＵＥ２との間にデータセッション通信を確立していて、そのデータストリームはセルラネットワークのインフラストラクチャを介して転送される。ＵＥ１がＵＥ２の周辺領域ヘ移動するに伴って、ＵＥ１はＵＥ２から送信された発見信号を検査できる。ＵＥ１とＵＥ２との距離がますます近接し、ＵＥ１が検査できるＵＥ２から送信された測定信号は次第に強くなる。同時に、ＵＥ１はＵＥ２との間にセルラ通信するデータストリームがあると判定する。ＵＥ１はモード切り替え要求メッセージをサービング基地局ｅＮＢ１に送信する。図２０は本発明の実施例に係わる実例４のモード切り替えを示すフローチャートで、図２０に示すように、以下のステップＳ２００２〜ステップＳ２０１６を含む。
【０１７０】
ＵＥ２がＵＥ１にＤ２Ｄ発見信号を送信する（ステップＳ２００２）。
ＵＥ１がＵＥ２から送信されたＤ２Ｄ発見信号を検査して測定すると共に、ＵＥ２とのデータストリームがあるか否かを判定する（ステップＳ２００４）。
【０１７１】
モード切り替え要求を送信する（ステップＳ２００６）。
モード切り替え要求メッセージは、ＵＥ２の識別子、ＵＥ１によるＵＥ２に対する信号測定結果、ＵＥ１とＵＥ２がセルラ通信を行う指示、ＵＥ１とＵＥ２がセルラ通信を行うデータストリームに対応するベアラ情報、ＵＥ１とＵＥ２がセルラ通信を行うデータストリーム及び／又はベアラに対応するサービス品質情報、ＵＥ１がＵＥ２と対応する端末直接通信データベアラを確立したか否か及び／又はＵＥ１とＵＥ２が端末直接通信データベアラを確立する必要があるとの指示を含むことができる。そして、モード切り替え要求メッセージは、モード切り替えタイプ及びＵＥ２のサービング基地局情報を更に含むこともでき、その中、モード切り替えタイプはセルラ通信から端末直接通信モードへの切り替えを指示する。
【０１７２】
モード切り替えの条件を満たすか否かを判定する（ステップＳ２００８）。
ｅＮＢ１はＵＥ１の測定報告を受信した後、測定報告中のＵＥ２の信号品質が優れていて、さらにその前にコアネットワークエレメントから取得したＵＥ１のモード傾向情報によりＵＥ１がユーザ機器レベルによって優先して端末直接通信モード（ユーザ機器レベル優先）であることを指示することを発現すると、ＵＥ１がセルラ通信モードから端末直接通信モードへの切り替えの条件を満たすか否かの判定をトリガーする。
ｅＮＢ１が、ＵＥ１がセルラ通信モードから端末直接通信モードへの切り替えの条件を満たすか否かを判定することが、ＵＥ１が端末直接通信機能を支援するか否か、ＵＥ１がＵＥ２との間でセルラデータ通信を行うか否か、ＵＥ１がＵＥ２と近接するか否か、及びＵＥ１とＵＥ２が端末直接通信を行うための充分な端末直接通信エアインターフェースリソースがあるか否かを判定することを含む。
ｅＮＢ１は、ＭＭＥ／Ｄ２Ｄサーバー又はＨＳＳから取得したＵＥ端末直接属性情報に基づいて、ＵＥ１の端末直接通信支援能力を判定する。又は、ｅＮＢ１はＭＭＥ／Ｄ２ＤサーバーにＵＥ１が端末直接通信を支援するか否かを判定することを直接に要求する。
ｅＮＢ１は。測定報告メッセージに持つＵＥ１とＵＥ２がセルラ通信を行う指示に基づいて、ＵＥ１とＵＥ２がセルラデータ通信を行っていることを判定することができる。
ｅＮＢ１は、ＵＥ１の測定報告に基づいて、ＵＥ１がＵＥ２と端末直接通信を行うリンク品質閾値を満たすと判定することで、ＵＥ１とＵＥ２が近接すると判定する。
ｅＮＢ１は、ＵＥ１とＵＥ２がセルラ通信を行うデータストリームに対応するベアラ情報及びＵＥ１とＵＥ２がセルラ通信を行うデータストリーム及び／又はベアラに対応するサービス品質情報に基づいて、対応する端末直接通信を支援可能な充分な端末直接通信リソースがあるか否かを判定する。端末直接エアインターフェースリソースがＵＥ１とＵＥ２がセルラ通信を行うデータストリームの全部又は一部を支援可能であると、ｅＮＢ１はＵＥ１とＵＥ２が端末直接通信を行うための充分な端末直接通信エアインターフェースリソースがあると判定する。
【０１７３】
モード切り替え協議要求を送信する（ステップＳ２０１０）。
ｅＮＢ１がＵＥ２のサービング基地局を確定し、ＵＥ２のサービング基地局を取得する方法は本願の保護範囲内のものではない。本実例において、ＵＥ２のサービング基地局はｅＮＢ１である。
【０１７４】
ｅＮＢ１は継続してＵＥ２がモード切り替えの条件を満たすか否かを判定し（ステップＳ２０１２）、該判定はＵＥ２が端末直接通信機能を支援するか否かの判定を含む。支援すると、ｅＮＢ１はモード切り替え協議要求メッセージをＵＥ２に送信する。モード切り替え協議要求メッセージは、ＵＥ１の識別子、ＵＥ１とＵＥ２がセルラ通信を行うデータストリームに対応するベアラ情報、ＵＥ１とＵＥ２がセルラ通信を行うデータストリーム及び／又はベアラに対応するサービス品質情報、ｅＮＢ１が割り当て可能な端末直接通信リソース、ＵＥ１の能力情報の中の一つ又は任意の組み合せを含むことができる。そして、モード切り替え協議要求メッセージは明示的にモード切り替えタイプを含んでセルラ通信から端末直接通信への切り替えを指示することもできる。ＵＥ２はモード切り替え協議要求メッセージを受信し、モード切り替えの条件を満たすか否かを判定し、具体的に、ＵＥ１とＵＥ２が端末直接通信を行うための充分な端末直接通信リソースがあるか否かを判定する。
【０１７５】
ＵＥ２がＵＥ１とＵＥ２が端末直接通信を行うための充分な端末直接通信リソースがないと判定すると、モード切り替え協議失敗メッセージを送信し（ステップＳ２０１４）、モード切り替え協議失敗メッセージは失敗原因指示を含む。
【０１７６】
ｅＮＢ１はモード切り替え協議失敗メッセージを受信すると、ＵＥ１がモード切り替えを行うことができないと判定する（ステップＳ２０１６）。ｅＮＢ１は、モード切り替え拒絶メッセージをＵＥ１に送信して、モード切り替え失敗原因を指示する。
【０１７７】
（実例５）
ネットワークインフラストラクチャにカバーされた状況下、ｅＮＢ１が、ＳＧＷとの間の主力リンクリソースが緊張で、ネットワークの負担を低減する必要があることを発現したので、隠れている端末直接通信ノードピアを検査する。図２１は本発明の実施例に係わる実例５のモード切り替えを示すフローチャートで、図２１に示すように、以下のステップＳ２１０２〜ステップＳ２１１０を含む。
ｅＮＢ１／ＳＧＷ／ＰＧＷがネットワークの負担の低減をトリガーする（ステップＳ２１０２）。
隠れている端末直接通信ノードピアを検査する（ステップＳ２１０４）。
隠れている端末直接通信ノードピアの検査をＳＧＷ又はＰＧＷによって開始することもできる。隠れている端末直接通信ノードピアの検査とは、同一の基地局がサービスを提供するセルラデータ通信中のＵＥノードピアを発見することを指し、ｅＮＢ１／ＳＧＷ／ＰＧＷによってサービスを提供するＵＥの通信データパケットのパケットヘッドを検査し、ソースアドレス及び目標アドレスに基づいて、ＵＥ１が同一の基地局がサービスを提供するＵＥ２とセルラ通信を行っているか否かを検査して判定する。ｅＮＢ１が条件を満たすＵＥノードピアを検査できると、例えばＵＥ１とＵＥ２が条件を満たすと、ｅＮＢ１はさらにモード切り替えの条件を満たすか否かを判定する。
【０１７８】
モード切り替えの条件を満たすか否かを判定する（ステップＳ２１０６）。
ｅＮＢ１が、ＵＥ１とＵＥ２がセルラ通信モードから端末直接通信モードへの切り替えの条件を満たすか否かを判定することが、ＵＥ１とＵＥ２が端末直接通信機能を支援するか否か、ＵＥ１がＵＥ２と近接するか否か及びＵＥ１とＵＥ２が端末直接通信を行うための充分な端末直接通信エアインターフェースリソースがあるか否かを判定することを含む。
ｅＮＢ１は、ＭＭＥ／Ｄ２Ｄサーバー又はＨＳＳから取得したＵＥ端末直接属性情報に基づいて、ＵＥ１とＵＥ２の端末直接通信支援能力を判定する。
ｅＮＢ１は、ＵＥ１とＵＥ２に端末直接発見測定を行うことを要求し、測定報告に基づいて、ＵＥ１がＵＥ２と端末直接通信を行うリンク品質閾値を満たすか否かを判定することで、ＵＥ１とＵＥ２の近接を判定する。又は、ｅＮＢ１は直接、位置サーバー又は間接的にＭＭＥ及びパススルーサーバーからＵＥ１とＵＥ２の地理位置情報又は距離情報を取得し、距離情報に基づいて、ＵＥ１とＵＥ２が近接するか否かを判定する。
ｅＮＢ１は、検査されたＵＥ１とＵＥ２がセルラ通信を行うデータストリームに対応するベアラ情報及びＵＥ１とＵＥ２がセルラ通信を行うデータストリーム及び／又はベアラに対応するサービス品質情報に基づいて、対応する端末直接通信を支援可能な充分な端末直接通信リソースがあるか否かを判定する。端末直接エアインターフェースリソースがＵＥ１とＵＥ２がセルラ通信を行うデータストリームの全部又は一部を支援可能であると、ｅＮＢ１はＵＥ１とＵＥ２が端末直接通信を行うための充分な端末直接通信エアインターフェースリソースがあると判定する。
ｅＮＢ１がＵＥ２のサービング基地局を確定し、ＵＥ２のサービング基地局を取得する方法は本願の保護範囲内のものではない。本実例において、ＵＥ２のサービング基地局はｅＮＢ１で、ｅＮＢ１が継続してＵＥ２がモード切り替えの条件を満たすか否かを判定し、具体的に、ｅＮＢ１が前記ＵＥ２が端末直接通信機能を支援するか否かを判定し、ｅＮＢ１はＭＭＥ／ＰｒｏＳｅサーバー又はＨＳＳから取得したＵＥの端末直接属性情報に基づいて、ＵＥ２の端末直接通信支援能力を取得する。
【０１７９】
モード切り替えを行う（ステップＳ２１０８）。
ＵＥ１とＵＥ２がモード切り替えの条件を満たす場合、ｅＮＢ１はモード切り替えメッセージをＵＥ１とＵＥ２に送信する。モード切り替えメッセージは、モード切り替え通信を行うＵＥ識別子、モード切り替えを行うセルラ通信のデータストリーム及び／又はベアラ情報を含む。そして、モード切り替えメッセージは、ｅＮＢ１がＵＥ１とＵＥ２に端末直接通信用の専用リソース又は専用リソースプールを割り当てるための、ＵＥ１及びＵＥ２が端末直接通信を行うリソース配置情報を含むこともできる。ＵＥ１とＵＥ２が端末直接通信データベアラを確立していないと、又はｅＮＢ１に記憶されているＵＥ１とＵＥ２のコンテクストに基づいて、端末直接通信データベアラを修正する必要があることを発見すると、モード切り替えメッセージは、ＵＥ１とＵＥ２が端末直接通信ベアラを確立するための、端末直接通信ベアラ確立／修正情報を含むことができる。そして、モード切り替えメッセージは、元のＵＥ１とＵＥ２のセルラ通信データストリームをセルラデータベアラから端末直接データベアラに更新するための、更新されたＴＦＴ情報を含むことができる。当該モード切り替えメッセージは新規に設計されたエアインターフェースシグナルであるか、又はＲＲＣ再配置及び他の既存エアインターフェースシグナルに載せられることができる。
ＵＥ１とＵＥ２はモード切り替えメッセージに指示されたモード切り替えを行うべきセルラ通信のデータストリーム及び／又はベアラ情報に基づいて、対応する端末直接通信データベアラを確立するか否かを判定する。対応するベアラを確定していて、更新されたＴＦＴ情報を取得していると、ＵＥ１とＵＥ２はモード切り替えメッセージに指示されたセルラ通信のデータストリームを対応する端末直接通信データベアラに切り替えする。セルラ通信から端末直接通信へのモード切り替えである場合、ＵＥ１はｅＮＢ１がモード切り替えメッセージに配置した端末直接通信リソースを利用して、ＵＥ２と端末直接通信を行う。
【０１８０】
モード切り替えを完成する（ステップＳ２１１０）。ＵＥ１とＵＥ２はモード切り替えを完成した後、モード切り替え完成メッセージをｅＮＢ１に送信することもできる。ｅＮＢ１はＵＥ１とＵＥ２のモード切り替え完成メッセージを受信した後、切り替えられたセルラ通信データベアラのリリースまたは修正を開始することができる。これで、ＵＥ１とＵＥ２のセルラ通信モードから端末直接通信モードへのモード切り替えを完成する。
【０１８１】
（実例６）
ネットワークインフラストラクチャにカバーされた状況下、ｅＮＢ１は、ＳＧＷとの間の主力リンクリソースが緊張で、ネットワークの負担を低減する必要があることを発見したので、隠れている端末直接通信ノードピアの検査を開始する。
図２２は本発明の実施例に係わる実例６のモード切り替えを示すフローチャートで、図２２に示すように、以下のステップＳ２２０２〜ステップＳ２２１６を含む。
ｅＮＢ１／ＳＧＷ／ＰＧＷがネットワークの負担低減を開始する（ステップＳ２２０２）。
隠れている端末直接通信ノードピアを検査する（ステップＳ２２０４）。
隠れている端末直接通信ノードピアの検査をＳＧＷ又はＰＧＷにより開始することもできる。隠れている端末直接通信ノードピアの検査とは、同一の基地局がサービスを提供するセルラデータ通信中のＵＥノードピアを発見することを指し、ｅＮＢ１／ＳＧＷ／ＰＧＷによってサービスを提供するＵＥの通信データパケットにパケットヘッドの検査を行って、ソースアドレス及び目標アドレスに基づいて、ＵＥ１が同一の基地局がサービスを提供するＵＥ２とセルラ通信を行っているか否かを検査して判定する。ｅＮＢ１が条件を満たすＵＥノードピアを検査できると、例えばＵＥ１とＵＥ２が条件を満たすと、ｅＮＢ１はさらにモード切り替えの条件を満たすか否かを判定する。
【０１８２】
モード切り替えの条件を満たすか否かを判定する（ステップＳ２２０６）。
ｅＮＢ１が、ＵＥ１とＵＥ２がセルラ通信モードから端末直接通信モードへの切り替えの条件を満たすか否かを判定することが、ＵＥ１とＵＥ２が端末直接通信機能を支援するか否か、ＵＥ１がＵＥ２と近接するか否か及びＵＥ１とＵＥ２が端末直接通信を行うための充分な端末直接通信エアインターフェースリソースがあるか否かを判定することを含む。
ｅＮＢ１は、ＭＭＥ／Ｄ２Ｄサーバー又はＨＳＳから取得したＵＥ端末直接属性情報に基づいて、ＵＥ１とＵＥ２が端末直接通信能力を支援すると判定する。
ｅＮＢ１は、ＵＥ１とＵＥ２に端末直接発見測定を要求し、測定報告に基づいて、ＵＥ１がＵＥ２と端末直接通信を行うリンク品質閾値を満たすか否かを判定することで、ＵＥ１とＵＥ２が近接すると判定する。又は、ｅＮＢ１は直接に位置サーバーから又は間接的にＭＭＥ及びパススルーサーバーからＵＥ１とＵＥ２の地理位置情報又は距離情報を取得し、距離情報に基づいて、ＵＥ１とＵＥ２が近接するか否かを判定する。
【０１８３】
ｅＮＢ１が、モード切り替え協議要求メッセージをＵＥ１とＵＥ２に送信する（ステップＳ２２０８）。モード切り替え協議要求メッセージは、ＵＥ１及び／又はＵＥ２の識別子、ＵＥ１とＵＥ２がセルラ通信を行うデータストリームに対応するベアラ情報、ＵＥ１とＵＥ２がセルラ通信を行うデータストリーム及び／又はベアラに対応するサービス品質情報、ＵＥ１及び／又はＵＥ２の能力情報の中の一つ又は任意の組み合せを含むことができる。そして、モード切り替え協議要求メッセージはさらに明示的に、モード切り替えタイプを含んで、セルラ通信から端末直接通信への切り替えを指示することができる。
【０１８４】
ＵＥ１とＵＥ２がモード切り替え協議要求メッセージを受信して、モード切り替えの条件を満たすか否かを判定し（ステップＳ２２１０）、具体的には、ＵＥ１とＵＥ２が端末直接通信を行うための充分な端末直接通信リソースがあるか否かを判定する。
【０１８５】
ＵＥ１とＵＥ２がいずれもＵＥ１とＵＥ２が端末直接通信を行うための充分な端末直接通信リソースを具備すると、ＵＥ１とＵＥ２はｅＮＢ１にモード切り替え協議確認メッセージを送信する（ステップＳ２２１２）。
【０１８６】
モード切り替えを行う（ステップＳ２２１４）。
ｅＮＢ１は、ＵＥ１とＵＥ２から送信されたモード切り替え協議確認メッセージを受信した後、ｅＮＢ１はモード切り替えメッセージをＵＥ１とＵＥ２に送信する。モード切り替えメッセージは、モード切り替え通信を行うＵＥ識別子、モード切り替えを行うセルラ通信のデータストリーム及び／又はベアラ情報を含む。そして、モード切り替えメッセージはさらに、ｅＮＢ１がＵＥ１とＵＥ２に端末直接通信用の専用リソース又は専用リソースプールを割り当てるための、ＵＥ１及びＵＥ２が端末直接通信を行うリソース配置情報を含むことができる。ＵＥ１とＵＥ２が端末直接通信データベアラを確立していないと、又はｅＮＢ１に記憶されたＵＥ１とＵＥ２のコンテクストに基づいて、端末直接通信データベアラを修正する必要があることを発見すると、モード切り替えメッセージはさらに、ＵＥ１とＵＥ２が端末直接通信ベアラを確立するための、端末直接通信ベアラ確立／修正情報を含むことができる。そして、モード切り替えメッセージは、元のＵＥ１とＵＥ２のセルラ通信データストリームをセルラデータベアラから端末直接データベアラに更新するための、更新されたＴＦＴ情報を含むことができる。当該モード切り替えメッセージは新規に設計されたエアインターフェースシグナルであるか、又はＲＲＣ再配置及び他の既存エアインターフェースシグナルに載せられることができる。
ＵＥ１とＵＥ２はモード切り替えメッセージに指示されたモード切り替えを行うべきセルラ通信のデータストリーム及び／又はベアラ情報に基づいて、対応する端末直接通信データベアラを確立するか否かを判定する。対応するベアラを確立していて、更新されたＴＦＴ情報を取得していると、ＵＥ１とＵＥ２はモード切り替えメッセージに指示されたセルラ通信のデータストリームを対応する端末直接通信データベアラに切り替えする。セルラ通信から端末直接通信へのモード切り替えである場合、ＵＥ１はｅＮＢ１がモード切り替えメッセージに配置した端末直接通信リソースを利用して、ＵＥ２と端末直接通信を行う。
【０１８７】
モード切り替えを完成する（ステップＳ２２１６）。ＵＥ１とＵＥ２はモード切り替えを完成した後、モード切り替え完成メッセージをｅＮＢ１に送信することもできる。ｅＮＢ１はＵＥ１とＵＥ２のモード切り替え完成メッセージを受信した後、切り替えられたセルラ通信データベアラのリリースまたは修正を開始することができる。これで、ＵＥ１とＵＥ２のセルラ通信モードから端末直接通信モードへのモード切り替えを完成する。
【０１８８】
（実例７）
ネットワークインフラストラクチャにカバーされた状況下、ｅＮＢ１が、ＳＧＷとの間の主力リンクリソースが変更され、さらに多いセルラ通信を支援可能であることを発見した。それで、ｅＮＢ１はセルラ通信への傾向を示しているが、端末直接通信を行っているノードを検査する。図２３は本発明の実施例に係わる実例７のモード切り替えを示すフローチャートで、図２３に示すように、以下のステップＳ２３０２〜ステップＳ２３１０を含む。
ｅＮＢ１は定時でトリガーするか、又はエアインターフェースリソース及び主力リンクバンド幅の変化に応じてトリガーする（ステップＳ２３０２）。
セルラ通信への傾向を示しているが、端末直接通信を行っているノードを検査する（ステップＳ２３０４）。
【０１８９】
モード切り替えの条件を満たすか否かを判定する（ステップＳ２３０６）。
ｅＮＢ１が条件を満たすＵＥノードピアを検査できると、例えばＵＥ１とＵＥ２が条件を満たすと、ｅＮＢ１はさらに、モード切り替えの条件を満たすか否かを判定する。
ｅＮＢ１が、ＵＥ１とＵＥ２がセルラ通信モードから端末直接通信モードへの切り替えの条件を満たすか否かを判定することは、ＵＥ１とＵＥ２がセルラ通信を行うための充分なエアインターフェースリソースがあるか否かを判定することを含む。ｅＮＢ１が条件を満たすと判定すると、ｅＮＢ１はモード切り替えメッセージをＵＥ１とＵＥ２に送信する。モード切り替えメッセージは、モード切り替え通信を行うＵＥ識別子、モード切り替えを行う端末直接通信のデータストリーム及び／又はベアラ情報を含む。ＵＥ１とＵＥ２がセルラ通信データベアラを確立していないと、又はｅＮＢ１に記憶されたＵＥ１とＵＥ２のコンテクストに基づいて、セルラ通信データベアラを修正する必要があることを発見すると、モード切り替えメッセージはさらに、ＵＥ１とＵＥ２がセルラ通信ベアラを確立するためのセルラ通信ベアラ確立／修正情報を含むことができる。そして、モード切り替えメッセージは、元のＵＥ１とＵＥ２のセルラ通信データストリームを端末直接データベアラからセルラデータベアラへ更新するための、更新されたＴＦＴ情報を含むこともできる。当該モード切り替えメッセージは新規に設計されたエアインターフェースシグナルであるか、又はＲＲＣ再配置及び他の既存エアインターフェースシグナルに載せられることができる。
【０１９０】
モード切り替えを行う（ステップＳ２３０８）。
ＵＥ１とＵＥ２は、モード切り替えメッセージに指示されたモード切り替えを行うべき端末直接通信のデータストリーム及び／又はベアラ情報に基づいて、対応するセルラ通信データベアラを確立するか否かを判定する。対応するベアラを確立していて、更新されたＴＦＴ情報を取得していると、ＵＥ１とＵＥ２はモード切り替えメッセージに指示された端末直接通信のデータストリームを対応するセルラ通信データベアラに切り替えする。
【０１９１】
モード切り替えを完成する（ステップＳ２３１０）。
ＵＥ１とＵＥ２はモード切り替えを完成した後、モード切り替え完成メッセージをｅＮＢ１に送信することもできる。ｅＮＢ１はＵＥ１とＵＥ２のモード切り替え完成メッセージを受信した後、切り替えられた端末直接通信データベアラのリリース又は修正を開始することができる。これで、ＵＥ１とＵＥ２の端末直接通信モードからセルラ通信モードへのモード切り替えを完成する。
【実施例２】
【０１９２】
本実施例においてネットワークにカバーされた状況下、ユーザ機器のモード切り替えの方法を提供する。当該実施例の特徴は、モード切り替えを行うユーザ機器が異なる基地局にカバーされたことである。モード切り替えを実現するため、基地局同士間及び基地局とコアネットワークエレメントとのシグナル交換は以下の基本プロセスを含む。
【０１９３】
本実施例において隣り合うｅＮＢ間のモード切り替え協議プロセスを提供し、図２４は本発明の実施例に係わる隣り合うｅＮＢがモード切り替え協議を行うことを示すフローチャートで、図２４に示すように、以下のステップＳ２４０２〜ステップＳ２４０４を含む。
ｅＮＢ１が、ｅＮＢ２にモード切り替え協議要求メッセージを送信する（ステップＳ２４０２）。
ｅＮＢ２は、当該メッセージを受信した後、モード切り替えの条件を満たすか否かを判定し、満たすのであれば、モード切り替え協議確認メッセージをｅＮＢ１に送信する（ステップＳ２４０４）。ｅＮＢ１は、モード切り替え協議確認メッセージを受信した後、モード切り替え協議に成功した認定する。
【０１９４】
本実施例において、図２５に示すように、ｅＮＢがモード切り替え協議を取り消すプロセスは以下のステップＳ２５０２を含む。
ｅＮＢ１がモード切り替え協議を開始し、モード切り替え協議確認メッセージを受信する前、関連するＵＥがモード切り替えの条件を満たさないことを発見すると、ｅＮＢ１はモード切り替え協議取消メッセージをｅＮＢ２に送信する（ステップＳ２５０２）。
【０１９５】
図２６に示すように、隣り合うｅＮＢ間のモード切り替え協議失敗プロセスは以下のステップＳ２６０２〜ステップＳ２６０４を含む。
ｅＮＢ１が、ｅＮＢ２にモード切り替え協議要求メッセージを送信する（ステップＳ２６０２）。
ｅＮＢ２は当該メッセージを受信した後、モード切り替えの条件を満たすか否かを判定し、満たさないと、モード切り替え協議失敗メッセージをｅＮＢ１に送信する（ステップＳ２６０４）。ｅＮＢ１は、モード切り替え失敗メッセージを受信した後、モード切り替え協議に失敗したと認定する。
【０１９６】
図２７に示すように、隣り合うｅＮＢがＭＭＥを介してモード切り替え協議を行うプロセスは以下のステップＳ２７０２〜ステップＳ２７０８を含む。
ｅＮＢ１が、ＭＭＥにモード切り替え協議要求メッセージを送信する（ステップＳ２７０２）。
ＭＭＥは、当該メッセージを受信した後、モード切り替えの条件を満たすか否かを判定し、モード切り替え協議メッセージをｅＮＢ２に転送する（ステップＳ２７０４）。
【０１９７】
ｅＮＢ２は、当該メッセージを受信した後、モード切り替えの条件を満たすか否かを判定し、満たすのであれば、モード切り替え協議応答メッセージをＭＭＥに送信する（ステップＳ２７０６）。
ＭＭＥは、当該メッセージを受信した後、モード切り替え協議確認メッセージをｅＮＢ１に転送する（ステップＳ２７０８）。ｅＮＢ１は、モード切り替え協議確認メッセージを受信した後、モード切り替え協議に成功したと認定する。
【０１９８】
以下、実例８〜実例１０を介して、端末直接システムでのモード切り替え方法を詳しく説明する。
（実例８）
ネットワークインフラストラクチャにカバーされた状況下、ＵＥ１とＵＥ２は端末直接発見及び端末直接通信能力を具備し、端末直接機能をオンした。ＵＥ１とＵＥ２との間にデータセッション通信を確立していて、そのデータストリームはセルラネットワークのインフラストラクチャを介して転送される。ＵＥ１がＵＥ２の周辺領域ヘ移動するに伴って、ＵＥ１はＵＥ２から送信された発見信号を検査できる。ＵＥ１とＵＥ２との距離がますます近接し、ＵＥ１が検査できるＵＥ２から送信された測定信号は次第に強くなって、測定報告に設定された閾値を超えると、ＵＥ１は測定報告メッセージをサービング基地局ｅＮＢ１に送信する。図２８は本発明の実施例に係わる本発明の実例８のモード切り替えを示すフローチャートで、図２８に示すように、以下のステップＳ２８０２〜ステップＳ２８１８を含む。
【０１９９】
ＵＥ２が、ＵＥ１にＤ２Ｄ発見信号を送信する（ステップＳ２８０２）。
ＵＥ１は、ＵＥ２から送信されたＤ２Ｄ発見信号を検査して測定し、必要な時に測定報告を行う（ステップＳ２８０４）。
ＵＥが測定報告する（ステップＳ２８０６）。
測定報告メッセージに、ＵＥ２の識別子、ＵＥ１によるＵＥ２に対する信号測定結果、ＵＥ１によるサービング基地局に対する信号測定結果、ＵＥ１とＵＥ２がセルラ通信を行う指示、ＵＥ１とＵＥ２がセルラ通信を行うデータストリームに対応するベアラ情報、ＵＥ１とＵＥ２がセルラ通信を行うデータストリーム及び／又はベアラに対応するサービス品質情報、ＵＥ１がＵＥ２と対応する端末直接通信データベアラを確立したか否か及び／又はＵＥ１とＵＥ２が端末直接通信データベアラを確立する必要があるとの指示を含むことができる。そして、測定報告メッセージはさらに、モード切り替えタイプ及びＵＥ２のサービング基地局情報を含むことができ、その中、モード切り替えタイプはセルラ通信から端末直接通信モードへの切り替えを指示する。
【０２００】
ｅＮＢ１が、モード切り替えの条件を満たすか否かを判定する（ステップＳ２８０８）。
ｅＮＢ１は、ＵＥ１の測定報告を受信した後、測定報告中のＵＥ２の信号品質が優れていて、さらに、その前にコアネットワークエレメントから取得したＵＥ１のモード傾向情報にＵＥ１がユーザ機器レベルにより優先して端末直接通信モードを利用する（ユーザ機器レベル優先）ことが指示されていると、ＵＥ１がセルラ通信モードから端末直接通信モードへの切り替えの条件を満たすか否かの判定をトリガーする。
ｅＮＢ１が、ＵＥ１がセルラ通信モードから端末直接通信モードへの切り替えの条件を満たすか否かを判定することは、ＵＥ１が端末直接通信機能を支援するか否か、ＵＥ１がＵＥ２とセルラデータ通信を行っているか否か、ＵＥ１がＵＥ２と近接するか否か及びＵＥ１とＵＥ２が端末直接通信を行うための充分な端末直接通信エアインターフェースリソースがあるか否かを判定することを含む。
ｅＮＢ１は、ＭＭＥ／Ｄ２Ｄサーバー又はＨＳＳから取得したＵＥ端末直接属性情報に基づいて、ＵＥ１の端末直接通信支援能力を判定する。
ｅＮＢ１は、測定報告メッセージに持つＵＥ１とＵＥ２がセルラ通信を行う指示に基づいて、ＵＥ１とＵＥ２がセルラデータ通信を行っていると判定することができる。
ｅＮＢ１は、ＵＥ１の測定報告に基づいて、ＵＥ１がＵＥ２と端末直接通信を行うためのリンク品質閾値を満たしていると判定することで、ＵＥ１とＵＥ２が近接すると認定する。
ｅＮＢ１は、ＵＥ１とＵＥ２がセルラ通信を行うデータストリームに対応するベアラ情報及びＵＥ１とＵＥ２がセルラ通信を行うデータストリーム及び／又はベアラに対応するサービス品質情報に基づいて、対応する端末直接通信を支援可能な充分な端末直接通信リソースがあるか否かを判定する。端末直接エアインターフェースリソースがＵＥ１とＵＥ２がセルラ通信を行うデータストリームの全部又は一部を支援可能であると、ｅＮＢ１はＵＥ１とＵＥ２が端末直接通信を行うための充分な端末直接通信エアインターフェースリソースがあると認定する。
【０２０１】
ｅＮＢ１が、ｅＮＢ２にモード協議要求を送信する（ステップＳ２８１０）。
ｅＮＢ１がＵＥ２のサービング基地局を確定し、ＵＥ２のサービング基地局を取得する方法は本願の保護範囲内のものではない。本実例において、ＵＥ２のサービング基地局はｅＮＢ２で、ｅＮＢ１はｅＮＢ２と協議しなければならない。ｅＮＢ１がｅＮＢ２にモード切り替え協議要求メッセージを送信する。モード切り替え協議要求メッセージは、ＵＥ１の識別子、ＵＥ２の識別子、ｅＮＢ１が支援するＵＥ１とＵＥ２がセルラ通信を行うデータストリームに対応するベアラ情報、ｅＮＢ１が支援するＵＥ１とＵＥ２がセルラ通信を行うデータストリーム及び／又はベアラに対応するサービス品質情報、ＵＥ１がＵＥ２と対応する端末直接通信ベアラを確立したか否か及び／又はＵＥ１とＵＥ２が端末直接通信ベアラを確立する必要があるとの指示、ｅＮＢ１がＵＥ１に割り当て可能な端末直接通信リソース、ＵＥ１の能力情報の中の一つ又は任意の組み合せを含むことができる。
【０２０２】
ｅＮＢ２が、モード切り替えの条件を満たすか否かを判定する（ステップＳ２８１２）。
ｅＮＢ２はモード切り替え協議要求メッセージを受信し、ＵＥ２がモード切り替えの条件を満たすか否かを満たすか否かを判定し、具体的には、ＵＥ２が端末直接通信機能を支援するか否か、及びＵＥ１とＵＥ２が端末直接通信を行うための充分な端末直接通信リソースがあるか否かを判定することを含む。
ｅＮＢ２は、ＭＭＥ／ＰｒｏＳｅサーバー又はＨＳＳから取得したＵＥ端末直接属性情報に基づいて、ＵＥ２の端末直接通信支援能力を取得することができる。
ｅＮＢ２は、受信したｅＮＢ１が支援するＵＥ１とＵＥ２が端末直接通信を行うデータストリームに対応するベアラ情報及びＵＥ１とＵＥ２がセルラ通信を行うデータストリーム及び／又はベアラに対応するサービス品質情報及び／又はＵＥ１のサービング基地局がＵＥ１に割り当て可能な端末直接通信エアインターフェースリソース情報に基づいて、端末直接通信を行うようにＵＥ２に割り当て可能なリソースがあるか否かを判定する。端末直接エアインターフェースリソースがｅＮＢ１が支援するＵＥ１とＵＥ２がセルラ通信を行うデータストリームの全部又は一部を支援可能であると、ｅＮＢ２は、ＵＥ１とＵＥ２が端末直接通信を行うための充分な端末直接通信エアインターフェースリソースがある条件を満たすと認定する。
【０２０３】
ＵＥ２がモード切り替え条件を満たすと、ｅＮＢ２はモード切り替え協議要求確認メッセージをｅＮＢ１に送信する（ステップＳ２８１４）。切り替え協議要求確認メッセージは、ｅＮＢ２が支援するＵＥ１とＵＥ２が端末直接通信を行うデータストリームに対応するベアラ情報、ｅＮＢ２が支援するＵＥ１とＵＥ２が端末直接通信を行うデータストリーム及び／又はベアラに対応するサービス品質情報、端末直接通信を行うようにＵＥ１及びＵＥ２に割り当て可能なリソース情報、ＵＥ１とＵＥ２が共同して支援する能力情報の中の少なくとも一つ又は任意の組み合せを含む。そして、切り替え協議要求確認メッセージはさらに、ｅＮＢ２が支援しないＵＥ１とＵＥ２が端末直接通信を行うデータストリームに対応するベアラ情報、ｅＮＢ２が支援しないＵＥ１とＵＥ２が端末直接通信を行うデータストリーム及び／又はベアラに対応するサービス品質情報を含むことができる。
【０２０４】
モード切り替えを行う（ステップＳ２８１６）。
ｅＮＢ１がモード切り替え協議要求確認メッセージを受信すると、モード切り替え協議に成功し、ｅＮＢ１はモード切り替えメッセージをＵＥ１とＵＥ２に送信する。モード切り替えメッセージはモード切り替え通信を行うＵＥ識別子、モード切り替えを行うセルラ通信のデータストリーム及び／又はベアラ情報を含むことができる。そして、モード切り替えメッセージはさらに、ｅＮＢ１がＵＥ１とＵＥ２に端末直接通信用の専用リソース又は専用リソースプールを割り当てるための、ＵＥ１及びＵＥ２が端末直接通信を行うリソース配置情報を含むことができる。ＵＥ１とＵＥ２が端末直接通信データベアラを確立していないと、又は測定報告メッセージに端末直接通信データベアラを確立する必要があるとの指示があると、モード切り替えメッセージはさらに、ＵＥ１とＵＥ２が端末直接通信ベアラを確立するための端末直接通信ベアラ確立情報を含むことができる。そして、モード切り替えメッセージは、元のＵＥ１とＵＥ２のセルラ通信データストリームをセルラデータベアラから端末直接データベアラに更新するための、更新されたＴＦＴ情報を含むことができる。当該モード切り替えメッセージは新規に設計されたエアインターフェースシグナルであるか、又はＲＲＣ再配置及び他の既存エアインターフェースシグナルに載せられることができる。
ＵＥ１とＵＥ２はモード切り替えメッセージに指示されたモード切り替えを行うべきセルラ通信のデータストリーム及び／又はベアラ情報に基づいて、対応する端末直接通信データベアラを確立するか否かを判定する。対応するベアラを確立していて、更新されたＴＦＴ情報を取得していると、ＵＥ１とＵＥ２はモード切り替えメッセージに指示されたセルラ通信のデータストリームを対応する端末直接通信データベアラに切り替えする。セルラ通信から端末直接通信へのモード切り替えである場合、ＵＥ１はｅＮＢ１がモード切り替えメッセージに配置した端末直接通信リソースを利用して、ＵＥ２と端末直接通信を行う。
【０２０５】
モード切り替えを完成する（ステップＳ２８１８）。
ＵＥ１とＵＥ２はモード切り替えを完成した後、モード切り替え完成メッセージをｅＮＢ１に送信することができる。ｅＮＢ１はＵＥ１とＵＥ２のモード切り替え完成メッセージを受信した後、切り替えられたセルラ通信データベアラのリリースまたは修正を開始することができる。これで、ＵＥ１とＵＥ２のセルラ通信モードから端末直接通信モードへのモード切り替えを完成する。
【０２０６】
（実例９）
ネットワークインフラストラクチャにカバーされた状況下、ＵＥ１とＵＥ２は端末直接発見及び端末直接通信能力を具備し、端末直接機能をオンした。ＵＥ１とＵＥ２との間にデータセッション通信を確立していて、そのデータストリームはセルラネットワークのインフラストラクチャを介して転送される。ＵＥ１がＵＥ２の周辺領域ヘ移動するに伴って、ＵＥ１はＵＥ２から送信された発見信号を検査できる。ＵＥ１とＵＥ２との距離がますます近接し、ＵＥ１が検査できるＵＥ２から送信された測定信号は次第に強くなり、同時に、ＵＥ１はＵＥ２との間にセルラ通信するデータストリームがあると判定する。ＵＥ１はモード切り替え要求メッセージをサービング基地局ｅＮＢ１に送信し、図２９に示すように、以下のステップＳ２９０２〜ステップＳ２９２２を含む。
【０２０７】
ｅＮＢ２がＵＥ１にＤ２Ｄ発見信号を送信する（ステップＳ２９０２）。
ＵＥ１が、ＵＥ２から送信されたＤ２Ｄ発見信号を検査して測定し、同時に、ＵＥ２とのデータストリームがあるか否かを判定する（ステップＳ２９０４）。
【０２０８】
ＵＥ１がｅＮＢ１にモード切り替え要求を送信する（ステップＳ２９０６）。
モード切り替え要求メッセージは、ＵＥ２の識別子、ＵＥ１によるＵＥ２に対する信号測定結果、ＵＥ１とＵＥ２がセルラ通信を行う指示、ＵＥ１とＵＥ２がセルラ通信を行うデータストリームに対応するベアラ情報、ＵＥ１とＵＥ２がセルラ通信を行うデータストリーム及び／又はベアラに対応するサービス品質情報、ＵＥ１がＵＥ２と対応する端末直接通信データベアラを確立したか否か及び／又はＵＥ１とＵＥ２が端末直接通信データベアラを確立する必要があるとの指示を含むことができる。そして、モード切り替え要求メッセージは、モード切り替えタイプ及びＵＥ２のサービング基地局情報を更に含むこともできる、その中、モード切り替えタイプはセルラ通信から端末直接通信モードへの切り替えを指示する。
【０２０９】
ｅＮＢ１はモード切り替えの条件を満たすか否かを判定する（ステップＳ２９０８）。
ｅＮＢ１はＵＥ１のモード切り替え要求を受信した後、ＵＥ１がセルラ通信モードから端末直接通信モードへの切り替えの条件を満たすか否かの判定を開始する。ｅＮＢ１がＵＥ１がセルラ通信モードから端末直接通信モードへの切り替えの条件を満たすか否かを判定することは、ＵＥ１が端末直接通信機能を支援するか否か、ＵＥ１がＵＥ２とセルラデータ通信を行っているか否か、ＵＥ１がＵＥ２と近接するか否か及びＵＥ１とＵＥ２が端末直接通信を行うための充分な端末直接通信エアインターフェースリソースがあるか否かを含むことができる。
ｅＮＢ１は、ＭＭＥ／Ｄ２Ｄサーバー又はＨＳＳから取得したＵＥの端末直接属性情報に基づいて、ＵＥ１の端末直接通信支援能力を判定する。
ｅＮＢ１は、測定報告メッセージに持つＵＥ１とＵＥ２がセルラ通信を行う指示に基づいて、ＵＥ１とＵＥ２がセルラデータ通信を行っていると認定することができる。
ｅＮＢ１は、ＵＥ１の測定報告に基づいて、ＵＥ１がＵＥ２と端末直接通信を行うためのリンク品質閾値を満たすと判定することで、ＵＥ１とＵＥ２が近接すると認定する。
ｅＮＢ１は、ＵＥ１とＵＥ２がセルラ通信を行うデータストリームに対応するベアラ情報及びＵＥ１とＵＥ２がセルラ通信を行うデータストリーム及び／又はベアラに対応するサービス品質情報に基づいて、対応する端末直接通信を支援可能な充分な端末直接通信リソースがあるか否かを判定する。端末直接エアインターフェースリソースがＵＥ１とＵＥ２がセルラ通信を行うデータストリームの全部又は一部を支援可能であると、ｅＮＢ１はＵＥ１とＵＥ２が端末直接通信を行うための充分な端末直接通信エアインターフェースリソースがある認定する。
【０２１０】
ｅＮＢ１が、ｅＮＢ２にモード切り替え協議要求を送信する（ステップＳ２９１０）。
ｅＮＢ１がＵＥ２のサービング基地局を確定し、ＵＥ２のサービング基地局を取得する方法は本願の保護範囲内のものではない。本実例において、ＵＥ２のサービング基地局はｅＮＢ２で、ｅＮＢ１がｅＮＢ２と協議しなければならない。ｅＮＢ１がｅＮＢ２にモード切り替え協議要求メッセージを送信する。モード切り替え協議要求メッセージは、ＵＥ１の識別子、ＵＥ２の識別子、ｅＮＢ１が支援するＵＥ１とＵＥ２がセルラ通信を行うデータストリームに対応するベアラ情報、ｅＮＢ１が支援するＵＥ１とＵＥ２がセルラ通信を行うデータストリーム及び／又はベアラに対応するサービス品質情報、ＵＥ１がＵＥ２と対応する端末直接通信ベアラを確立したか否か及び／又はＵＥ１とＵＥ２が端末直接通信ベアラを確立する必要のあるとの指示、ｅＮＢ１がＵＥ１に割り当て可能な端末直接通信リソース、ＵＥ１の能力情報の中の一つ又は任意の組み合せを含む。
【０２１１】
ｅＮＢ２がモード切り替えの条件を満たすか否かを判定する（ステップＳ２９１２）。
ｅＮＢ２はモード切り替え協議要求メッセージを受信し、ＵＥ２がモード切り替えの条件を満たすか否かを判定し、具体的には、ＵＥ２が端末直接通信機能を支援するか否か、及びＵＥ１とＵＥ２が端末直接通信を行うための充分な端末直接通信リソースがあるか否かを判定することを含む。
【０２１２】
ｅＮＢ２がＵＥ２にモード切り替え協議要求を送信する（ステップＳ２９１４）。
ｅＮＢ２がまず、ＵＥ２が端末直接通信機能を支援するか否かを判定する。支援すると、ｅＮＢ２はモード切り替え協議要求メッセージをＵＥ２に送信する。モード切り替え協議要求メッセージは、ＵＥ１の識別子、ＵＥ１とＵＥ２がセルラ通信を行うデータストリームに対応するベアラ情報、ＵＥ１とＵＥ２がセルラ通信を行うデータストリーム及び／又はベアラに対応するサービス品質情報、ｅＮＢ１が割り当て可能な端末直接通信リソース、ＵＥ１の能力情報の中の一つ又は任意の組み合せを含むことができる。そして、モード切り替え協議要求メッセージはさらに明示的にモード切り替えタイプを含んで、セルラ通信から端末直接通信への切り替えを指示することができる。
【０２１３】
ＵＥ２はモード切り替え協議要求メッセージを受信し、モード切り替えの条件を満たすか否かを判定し（ステップＳ２９１６）、具体的には、ＵＥ１とＵＥ２が端末直接通信を行うための充分な端末直接通信リソースがあるか否かを判定することを含む。
【０２１４】
ＵＥ２がＵＥ１とＵＥ２が端末直接通信を行うための充分な端末直接通信リソースがないと判定した場合、モード切り替え協議失敗メッセージを送信シ（ステップＳ２９１８）、モード切り替え協議失敗メッセージに失敗原因指示を含む。
【０２１５】
ｅＮＢ２はモード切り替え協議失敗メッセージを受信すると、ＵＥ１がモード切り替えを行うことが不可能であると認定し、モード協議失敗メッセージをｅＮＢ１に送信し（ステップＳ２９２０）、メッセージに失敗原因指示を含む。
【０２１６】
ｅＮＢ１は当該メッセージを受信した後、モード切り替え拒絶メッセージをＵＥ１に送信して、モード切り替え失敗原因を指示する（ステップＳ２９２２）。
【０２１７】
（実例１０）
ネットワークインフラストラクチャにカバーされた状況下、ｅＮＢ１がＳＧＷとの間の主力リンクリソースが変化し、さらに多いセルラ通信を支援可能であることを検出した。それでｅＮＢ１がセルラ通信への傾向を示しているが端末直接通信を行っているノードの検査を開始し、図３０に示すように、以下のステップＳ３００２〜ステップＳ３０１６を含む。
ｅＮＢ１が定時にトリガーし、又はエアインターフェースリソース及び主力リンクバンド変化に応じてトリガーする（ステップＳ３００２）。
セルラ通信への傾向を示しているが端末直接通信を行っているノードピアを検査する（ステップＳ３００４）。
モード切り替えの条件を満たすか否かを判定する（ステップＳ３００６）。
ｅＮＢ１が条件を満たすＵＥノードピアを検知できると、例えばＵＥ１とＵＥ２が条件を満たすと、ｅＮＢ１はさらにモード切り替えの条件を満たすか否かを判定する。
ｅＮＢ１がＵＥ１がセルラ通信モードから端末直接通信モードへの切り替えの条件を満たすか否かを判定することは、ＵＥ１とＵＥ２がセルラ通信を行うための充分なエアインターフェースリソースがあるか否かを判定することを含む。ｅＮＢ１がＵＥ１が条件を満たすと判定した場合、次にｅＮＢ１はＵＥ２のサービング基地局を確定する。
【０２１８】
モード切り替え協議要求を送信する（ステップＳ３００８）。
本実例において、ＵＥ２のサービング基地局はｅＮＢ２で、ｅＮＢ１がｅＮＢ２と協議しなければならない。ｅＮＢ１がｅＮＢ２にモード切り替え協議要求メッセージを送信する。モード切り替え協議要求メッセージは、ＵＥ１の識別子、ＵＥ２の識別子、ｅＮＢ１が支援するＵＥ１とＵＥ２が端末直接通信を行うデータストリームに対応するベアラ情報、ｅＮＢ１が支援するＵＥ１とＵＥ２が端末直接通信を行うデータストリーム及び／又はベアラに対応するサービス品質情報、ＵＥ１がＵＥ２と対応するセルラ通信ベアラを確立したか否か及び／又はＵＥ１とＵＥ２がセルラ通信ベアラを確立する必要のあるとの指示の中の一つ又は任意の組み合せを含むことができる。
【０２１９】
モード切り替えの条件を満たすか否かを判定する（ステップＳ３０１０）。
ｅＮＢ２はモード切り替え協議要求メッセージを受信し、ＵＥ２がモード切り替えの条件を満たすか否かを判定し、具体的には、ＵＥ２が端末直接通信機能を支援するか否か、及びＵＥ１とＵＥ２がセルラ通信を行うための充分なエアインターフェースセルラリソース及び主力リンクリソースがあるか否かを判定することを含む。
ｅＮＢ２は、ＭＭＥ／ＰｒｏＳｅサーバー又はＨＳＳから取得したＵＥ端末直接属性情報に基づいて、ＵＥ２の端末直接通信支援能力を取得することができる。
ｅＮＢ２は、受信したｅＮＢ１が支援するＵＥ１とＵＥ２がセルラ通信を行うデータストリームに対応するベアラ情報及びＵＥ１とＵＥ２が端末直接通信を行うデータストリーム及び／又はベアラに対応するサービス品質情報に基づいて、セルラ通信を行うようにＵＥ２に割り当て可能なリソースがあるか否かを判定する。セルラエアインターフェースリソース及び／又は主力リンクリソースがｅＮＢ１が支援するＵＥ１とＵＥ２がセルラ通信を行うデータストリームの全部又は一部を支援可能であると、ｅＮＢ２はＵＥ１とＵＥ２がセルラ通信を行うための充分な端末直接通信エアインターフェースリソースがある条件を満たすと認定する。
【０２２０】
モード切り替え協議要求を確認する（ステップＳ３０１２）。
ＵＥ２がモード切り替え条件を満たすと、ｅＮＢ２はモード切り替え協議要求確認メッセージをｅＮＢ１に送信する。切り替え協議要求確認メッセージは、ｅＮＢ２が支援するＵＥ１とＵＥ２がセルラ通信を行うデータストリームに対応するベアラ情報、ｅＮＢ２が支援するＵＥ１とＵＥ２がセルラ通信を行うデータストリーム及び／又はベアラに対応するサービス品質情報の中の少なくとも一つ又は任意の組み合せを含むことができる。そして、切り替え協議要求確認メッセージはさらに、ｅＮＢ２が支援しないＵＥ１とＵＥ２がセルラ通信を行うデータストリームに対応するベアラ情報、ｅＮＢ２が支援しないＵＥ１とＵＥ２がセルラ通信を行うデータストリーム及び／又はベアラに対応するサービス品質情報を含むことができる。
【０２２１】
モード切り替えを行う（ステップＳ３０１４）。
ｅＮＢ１がモード切り替え協議要求確認メッセージを受信すると、モード切り替え協議に成功した。ｅＮＢ１とｅＮＢ２はそれぞれ、モード切り替えメッセージをＵＥ１とＵＥ２に送信する。モード切り替えメッセージは、モード切り替え通信を行うＵＥ識別子、モード切り替えを行う端末直接通信のデータストリーム及び／又はベアラ情報を含むことができる。ＵＥ１とＵＥ２がセルラ通信データベアラを確立していないと、又はｅＮＢ１に記憶されたＵＥ１とＵＥ２のコンテクストに基づいて、セルラ通信データベアラを修正する必要があると、モード切り替えメッセージは、ＵＥ１とＵＥ２がセルラ通信ベアラを確立するためのセルラ通信ベアラ確立／修正情報を含むことができる。そして、モード切り替えメッセージはさらに、元のＵＥ１とＵＥ２のセルラ通信データストリームを端末直接データベアラからセルラデータベアラに更新するための更新されたＴＦＴ情報を含むこともできる。当該モード切り替えメッセージは新規に設計されたエアインターフェースシグナルであるか、又はＲＲＣ再配置及び他の既存エアインターフェースシグナルに載せられることができる。
ＵＥ１とＵＥ２はモード切り替えメッセージに指示されたモード切り替えを行うべき端末直接通信のデータストリーム及び／又はベアラ情報に基づいて、対応するセルラ通信データベアラを確立するか否かを判定する。対応するベアラを確立していて、更新されたＴＦＴ情報を取得していると、ＵＥ１とＵＥ２はモード切り替えメッセージに指示された端末直接通信のデータストリームを対応するセルラ通信データベアラに切り替えする。
【０２２２】
モード切り替えを完成する（ステップＳ３０１６）。
ＵＥ１とＵＥ２はモード切り替えを完成した後、モード切り替え完成メッセージをｅＮＢ１に送信することもできる。ｅＮＢ１はＵＥ１とＵＥ２のモード切り替え完成メッセージを受信した後、切り替えられた端末直接通信データベアラのリリース又は修正を開始することができる。これで、ＵＥ１とＵＥ２の端末直接通信モードからセルラ通信モードへのモード切り替えを完成する。
関連技術においてモード切り替えに対するシステムの完璧な解決案を提示していない。本願の方法によると、ネットワークインフラストラクチャがユーザ機器及びその負荷状況に応じて、ユーザ機器にセルラ通信とＤ２Ｄ通信モードとの間で融通性よく切り替えすると要求することができ、サービスの連続性を保証し、システム全体の処理量を向上させることができる。
【０２２３】
当業者にとって、上記の本発明の各ブロック又は各ステップは共通の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、又は夫々集積回路ブロックに製作し、又はそれらにおける複数のブロック又はステップを単独の集積回路ブロックに製作して実現することができることは明らかなことである。このように、本発明は如何なる特定のハードウェアとソフトウェアの結合にも限定されない。
【０２２４】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
0006463352.tif 000002
【図２】
0006463352.tif 000003
【図３】
0006463352.tif 000004
【図４】
0006463352.tif 000005
【図５】
0006463352.tif 000006
【図６】
0006463352.tif 000007
【図７】
0006463352.tif 000008
【図８】
0006463352.tif 000009
【図９】
0006463352.tif 000010
【図１０】
0006463352.tif 000011
【図１１】
0006463352.tif 000012
【図１２】
0006463352.tif 000013
【図１３】
0006463352.tif 000014
【図１４】
0006463352.tif 000015
【図１５】
0006463352.tif 000016
【図１６】
0006463352.tif 000017
【図１７】
0006463352.tif 000018
【図１８】
0006463352.tif 000019
【図１９】
0006463352.tif 000020
【図２０】
0006463352.tif 000021
【図２１】
0006463352.tif 000022
【図２２】
0006463352.tif 000023
【図２３】
0006463352.tif 000024
【図２４】
0006463352.tif 000025
【図２５】
0006463352.tif 000026
【図２６】
0006463352.tif 000027
【図２７】
0006463352.tif 000028
【図２８】
0006463352.tif 000029
【図２９】
0006463352.tif 000030
【図３０】
0006463352.tif 000031